(57)【特許請求の範囲】
【請求項１】
モバイルデバイスによって並行して送信されるべきアップリンクコンポーネントキャリアのセットを決定することと、
前記セット中の第１のコンポーネントキャリアに関連する最大送信電力を計算することであって、前記計算が、前記アップリンクコンポーネントキャリアの第１のサブセットの各々のための送信電力を比例的に増加させることによって、前記第１のコンポーネントキャリアを含む前記アップリンクコンポーネントキャリアの少なくとも前記第１のサブセット中の各コンポーネントキャリアの送信電力の増加を考慮する、計算することと、
前記最大送信電力を計算することの結果に基づいて前記第１のコンポーネントキャリアのために利用可能な電力ヘッドルームを識別することと、
前記第１のコンポーネントキャリアのために利用可能な前記電力ヘッドルームを備える電力ヘッドルーム報告（ＰＨＲ）の第１のタイプを生成することと、
ＰＨＲの前記第１のタイプを含むＰＨＲ通信を送信することとを備える、マルチキャリアシステムにおけるワイヤレス通信の方法。
【請求項２】
送信電力を比例的に増加させることが、各アップリンクコンポーネントキャリアのための増加した量がｄＢ単位で測定される量と実質的に等しい量であるように、アップリンクコンポーネントキャリアの前記第１のサブセットの各々のための前記送信電力を増加させることを備える、請求項１に記載の方法。
【請求項３】
アップリンクキャリアの前記第１のサブセットが、キャリアアグリゲーションのために構成された帯域内コンポーネントキャリアを備える、請求項１に記載の方法。
【請求項４】
アップリンクコンポーネントキャリアの前記サブセットの各々が、同じ電力増幅器からのサポートを用いて並行して送信されるべきである、請求項１に記載の方法。
【請求項５】
前記最大送信電力を計算することが、
並行送信が第１の電力増幅器からのサポートを用いてサポートされるアップリンクコンポーネントキャリアの前記セット中の各キャリアの前記送信電力の実質的に等しいｄＢ増加を考慮することによって、前記第１のコンポーネントキャリアに関連する前記最大送信電力を計算することと、
並行送信が第２の電力増幅器からのサポートを用いてサポートされるアップリンクキャリアの前記セット中のキャリアに関連する送信電力とは無関係に、前記第１のコンポーネントキャリアに関連する前記最大送信電力を計算することと、
をさらに備える、請求項１に記載の方法。
【請求項６】
前記アップリンクコンポーネントキャリアの第２のサブセットの第２のコンポーネントキャリアに関連する第２の最大送信電力を計算することであって、前記計算が、他の並行して送信されるアップリンクコンポーネントキャリアとは無関係に前記第２のアップリンクコンポーネントキャリア上で利用可能な前記電力ヘッドルームを考慮する、計算することと、
前記第２の最大送信電力を計算することの結果に基づいて前記第２のコンポーネントキャリアのために利用可能な電力ヘッドルームを識別することと、
前記第２のコンポーネントキャリアのために利用可能な前記電力ヘッドルームを備える電力ヘッドルーム報告（ＰＨＲ）の第２のタイプを生成することと、
ＰＨＲの前記第２のタイプを含む前記ＰＨＲ通信を送信することとをさらに備える、請求項１に記載の方法。
【請求項７】
アップリンクコンポーネントキャリアの前記第１のサブセットは、単一のコンポーネントキャリアを備える、請求項６に記載の方法。
【請求項８】
ＰＨＲの前記第１のタイプと前記第２のタイプとのうちのどちらが前記ＰＨＲ通信中に含まれるかを示す信号を送信することをさらに備える、請求項６に記載の方法。
【請求項９】
アップリンクコンポーネントキャリアの前記第１のサブセットの各々が第１の周波数帯域中で送信され、前記第２のアップリンクコンポーネントキャリアが、前記第１の周波数帯域とは異なる第２の周波数帯域中で送信される、請求項６に記載の方法。
【請求項１０】
各アップリンクコンポーネントキャリアの送信をサポートする電力増幅器が、前記アップリンクコンポーネントキャリアの前記周波数帯域に基づいて決定される、請求項９に記載の方法。
【請求項１１】
コンポーネントキャリアの前記第２のサブセットが単一のアップリンクコンポーネントキャリアを含み、コンポーネントキャリアの前記第１のサブセットが２つのアップリンクコンポーネントキャリアを含む、請求項６に記載の方法。
【請求項１２】
コンポーネントキャリアの第１のサブセットが前記第１のコンポーネントキャリアと第３のコンポーネントキャリアとを含み、前記ＰＨＲ通信が、前記第１のコンポーネントキャリアのための前記計算された最大送信電力に基づく前記第３のコンポーネントキャリアに対応する利用可能な電力ヘッドルームを含む、請求項１１に記載の方法。
【請求項１３】
前記ＰＨＲ通信が前記第１のコンポーネントキャリアのみのための計算された最大送信電力に基づくことを示す信号を送信することをさらに備える、請求項１に記載の方法。
【請求項１４】
ＰＨＲの前記第１のタイプが、各コンポーネントキャリアのための前記計算された最大送信電力に基づく、請求項１に記載の方法。
【請求項１５】
コンポーネントキャリアの前記第１のサブセットの各々が第１の電力増幅器からのサポートを用いて並行して送信され、少なくとも第２のコンポーネントキャリアが第２の電力増幅器からのサポートを用いて前記モバイルデバイスから並行して送信される、請求項１に記載の方法。
【請求項１６】
前記第２のコンポーネントキャリアに関連する第２の最大送信電力を計算することであって、前記計算が、他のアップリンクコンポーネントキャリアとは無関係に前記第２のコンポーネントキャリア上で利用可能な前記電力ヘッドルームを考慮する、計算することと、
前記第２の計算された最大送信電力に基づいてＰＨＲの第２のタイプを生成することとをさらに備え、前記ＰＨＲ通信を送信することが、ＰＨＲの前記第２のタイプを送信することを備える、請求項１５に記載の方法。
【請求項１７】
コンポーネントキャリアの前記第１のサブセットが、前記第１のコンポーネントキャリアと第３のコンポーネントキャリアとを含み、前記第３のコンポーネントキャリアのための前記最大送信電力が、前記第１のコンポーネントキャリアのための前記計算された最大送信電力に基づいて決定される、請求項１６に記載の方法。
【請求項１８】
ＰＨＲの前記第１のタイプが、前記第１のコンポーネントキャリアのみのための前記計算された最大送信電力に基づき、ＰＨＲの前記第２のタイプが、前記第２の計算された最大送信電力に基づくことを示す信号を送信することをさらに備える、請求項１７に記載の方法。
【請求項１９】
ＰＨＲの前記第１のタイプが前記第１のサブセットの各コンポーネントキャリアのための前記計算された最大送信電力に基づき、ＰＨＲの前記第２のタイプが前記第２の計算された最大送信電力に基づく、請求項１６に記載の方法。
【請求項２０】
マルチコンポーネントキャリアワイヤレス通信システムにおいて電力ヘッドルームを報告するための装置であって、
並行して送信されるアップリンクコンポーネントキャリアのセット中の第１のコンポーネントキャリアに関連する最大送信電力を計算することであって、前記計算が、前記アップリンクコンポーネントキャリアの第１のサブセットの各々のための送信電力を比例的に増加させることによって、前記第１のコンポーネントキャリアを含む前記アップリンクコンポーネントキャリアの少なくとも前記サブセット中の各コンポーネントキャリアの送信電力の増加を考慮する、計算することと、
前記計算された前記最大送信電力に基づいて前記第１のコンポーネントキャリアのために利用可能な電力ヘッドルームを識別することと
を行うように構成された電力ヘッドルーム計算モジュールと、
前記第１のコンポーネントキャリアのために利用可能な前記電力ヘッドルームを備える電力ヘッドルーム報告（ＰＨＲ）の第１のタイプを生成するように構成された電力ヘッドルーム報告モジュールと、
ＰＨＲの前記第１のタイプを含むＰＨＲ通信を送信するように構成された送信機モジュールとを備える、装置。
【請求項２１】
送信電力を比例的に増加させることが、各アップリンクコンポーネントキャリアのための増加した量がｄＢ単位で測定される量と実質的に等しい量であるように、アップリンクコンポーネントキャリアの前記第１のサブセットの各々のための前記送信電力を増加させることを備える、請求項２０に記載の装置。
【請求項２２】
アップリンクキャリアの前記第１のサブセットが、キャリアアグリゲーションのために構成された帯域内コンポーネントキャリアを備える、請求項２０に記載の装置。
【請求項２３】
前記送信機モジュールが２つ以上の電力増幅器を備え、アップリンクコンポーネントキャリアの前記サブセットの各々が、同じ電力増幅器からのサポートを用いて並行して送信されるべきである、請求項２０に記載の装置。
【請求項２４】
前記電力ヘッドルーム計算モジュールが、さらに、
並行送信が第１の電力増幅器を介してサポートされるアップリンクコンポーネントキャリアの前記セット中の各キャリアの前記送信電力の実質的に等しいｄＢ増加を考慮することによって、前記第１のコンポーネントキャリアに関連する前記最大送信電力を計算することと、
並行送信が第２の電力増幅器を介してサポートされるアップリンクキャリアの前記セット中のキャリアに関連する送信電力とは無関係に、前記第１のコンポーネントキャリアに関連する前記最大送信電力を計算することと、
によって前記最大送信電力を計算するように構成される、請求項２０に記載の装置。
【請求項２５】
前記電力ヘッドルーム計算モジュールが、
前記アップリンクコンポーネントキャリアの第２のサブセットの第２のコンポーネントキャリアに関連する第２の最大送信電力を計算することであって、前記計算が、他の並行して送信されるアップリンクコンポーネントキャリアとは無関係に前記第２のアップリンクコンポーネントキャリア上で利用可能な前記電力ヘッドルームを考慮する、計算することと、
前記第２の最大送信電力を計算することの結果に基づいて前記第２のコンポーネントキャリアのために利用可能な電力ヘッドルームを識別することと
を行うようにさらに構成され、
前記電力ヘッドルーム報告モジュールが、前記第２のコンポーネントキャリアのために利用可能な前記電力ヘッドルームを備える電力ヘッドルーム報告（ＰＨＲ）の第２のタイプを生成するようにさらに構成され、前記送信機が、ＰＨＲの前記第２のタイプを含む前記ＰＨＲ通信を送信するようにさらに構成された、請求項２０に記載の装置。
【請求項２６】
アップリンクコンポーネントキャリアの前記第１のサブセットは、単一のコンポーネントキャリアを備える、請求項２５に記載の装置。
【請求項２７】
アップリンクコンポーネントキャリアの前記第１のサブセットの各々が第１の周波数帯域中で送信され、前記第２のアップリンクコンポーネントキャリアが、前記第１の周波数帯域とは異なる第２の周波数帯域中で送信される、請求項２５に記載の装置。
【請求項２８】
各アップリンクコンポーネントキャリアの送信をサポートする電力増幅器が、前記アップリンクコンポーネントキャリアの前記周波数帯域に基づいて決定される、請求項２７に記載の装置。
【請求項２９】
コンポーネントキャリアの前記第２のサブセットが単一のアップリンクコンポーネントキャリアを含み、コンポーネントキャリアの前記第１のサブセットが２つのアップリンクコンポーネントキャリアを含む、請求項２５に記載の装置。
【請求項３０】
前記送信機が、前記ＰＨＲ通信が前記第１のコンポーネントキャリアのみのための計算された最大送信電力に基づくことを示す信号を送信するようにさらに構成された、請求項２０に記載の装置。
【請求項３１】
モバイルデバイスからの電力ヘッドルームを報告するためのコンピュータ可読記憶媒体であって、
モバイルデバイスによって並行して送信されるべきアップリンクコンポーネントキャリアのセットを決定するためのコードと、
前記セット中の第１のコンポーネントキャリアに関連する最大送信電力を計算するためのコードであって、前記計算が、前記アップリンクコンポーネントの第１のサブセットの各々のための送信電力を比例的に増加させることによって、前記第１のコンポーネントキャリアを含む前記アップリンクコンポーネントキャリアの少なくともサブセット中の各コンポーネントキャリアの送信電力の増加を考慮する、計算するためのコードと、
前記最大送信電力を計算することの結果に基づいて前記第１のコンポーネントキャリアのために利用可能な電力ヘッドルームを識別するためのコードと、
前記第１のコンポーネントキャリアのために利用可能な前記電力ヘッドルームを備える電力ヘッドルーム報告（ＰＨＲ）の第１のタイプを生成するためのコードと、
ＰＨＲの前記第１のタイプを含むＰＨＲ通信を送信するためのコードと
を備えるコンピュータプログラムが記憶されたコンピュータ可読記憶媒体。
【請求項３２】
送信電力を比例的に増加させることが、各アップリンクコンポーネントキャリアのための増加した量がｄＢ単位で測定される量と実質的に等しい量であるように、アップリンクコンポーネントキャリアの前記第１のサブセットの各々のための前記送信電力を増加させることを備える、請求項３１に記載のコンピュータ可読記憶媒体。
【請求項３３】
アップリンクキャリアの前記第１のサブセットが、キャリアアグリゲーションのために構成された帯域内コンポーネントキャリアを備える、請求項３１に記載のコンピュータ可読記憶媒体。
【請求項３４】
前記コンピュータプログラムが、
並行送信が第１の電力増幅器を介してサポートされるアップリンクコンポーネントキャリアの前記セット中の各キャリアの前記送信電力の実質的に等しいｄＢ増加を考慮することによって、前記第１のコンポーネントキャリアに関連する前記最大送信電力を計算するためのコードと、
並行送信が第２の電力増幅器を介してサポートされるアップリンクキャリアの前記セット中のキャリアに関連する送信電力とは無関係に、前記第１のコンポーネントキャリアに関連する前記最大送信電力を計算するためのコードと、
をさらに備える、請求項３１に記載のコンピュータ可読記憶媒体。
【請求項３５】
前記コンピュータプログラムが、
前記アップリンクコンポーネントキャリアの第２のサブセットの第２のコンポーネントキャリアに関連する第２の最大送信電力を計算するためのコードであって、前記計算が、他の並行して送信されるアップリンクコンポーネントキャリアとは無関係に前記第２のアップリンクコンポーネントキャリア上で利用可能な前記電力ヘッドルームを考慮する、計算するためのコードと、
前記第２の最大送信電力を計算することの結果に基づいて前記第２のコンポーネントキャリアのために利用可能な電力ヘッドルームを識別するためのコードと、
前記第２のコンポーネントキャリアのために利用可能な前記電力ヘッドルームを備える電力ヘッドルーム報告（ＰＨＲ）の第２のタイプを生成するためのコードと、
ＰＨＲの前記第２のタイプを含む前記ＰＨＲ通信を送信するためのコードとをさらに備える、請求項３１に記載のコンピュータ可読記憶媒体。
【請求項３６】
アップリンクコンポーネントキャリアの前記第１のサブセットは、単一のコンポーネントキャリアを備える、請求項３５に記載のコンピュータ可読記憶媒体。
【請求項３７】
前記コンピュータプログラムが、
ＰＨＲの前記第１のタイプと前記第２のタイプとのうちのどちらが前記ＰＨＲ通信中に含まれるかを示す信号を送信するためのコードをさらに備える、請求項３５に記載のコンピュータ可読記憶媒体。
【請求項３８】
アップリンクコンポーネントキャリアの前記第１のサブセットの各々が第１の周波数帯域中で送信され、前記第２のアップリンクコンポーネントキャリアが、前記第１の周波数帯域とは異なる第２の周波数帯域中で送信される、請求項３５に記載のコンピュータ可読記憶媒体。
【請求項３９】
前記コンピュータプログラムが、
前記ＰＨＲ通信が前記第１のコンポーネントキャリアのみのための計算された最大送信電力に基づくことを示す信号を送信するためのコードをさらに備える、請求項３１に記載のコンピュータ可読記憶媒体。
【請求項４０】
モバイルデバイスによって並行して送信されるべきアップリンクコンポーネントキャリアのセットを決定するための手段と、
前記セット中の第１のコンポーネントキャリアに関連する最大送信電力を計算するための手段であって、前記計算が、前記アップリンクコンポーネントキャリアの第１のサブセットの各々のための送信電力を比例的に増加させることによって、前記第１のコンポーネントキャリアを含む前記アップリンクコンポーネントキャリアの少なくともサブセット中の各コンポーネントキャリアの前記送信電力の増加を考慮する、計算するための手段と、
前記最大送信電力を計算することの結果に基づいて前記第１のコンポーネントキャリアのために利用可能な電力ヘッドルームを識別するための手段と、
前記第１のコンポーネントキャリアのために利用可能な前記電力ヘッドルームを備える電力ヘッドルーム報告（ＰＨＲ）の第１のタイプを生成するための手段と、
ＰＨＲの前記第１のタイプを含むＰＨＲ通信を送信するための手段とを備える、マルチキャリアワイヤレス通信システムにおいて電力ヘッドルームを報告するためのシステム。
【請求項４１】
送信電力を比例的に増加させることが、各アップリンクコンポーネントキャリアのための増加した量がｄＢ単位で測定される量と実質的に等しい量であるように、アップリンクコンポーネントキャリアの前記第１のサブセットの各々のための送信電力を増加させることを備える、請求項４０に記載のシステム。
【請求項４２】
アップリンクキャリアの前記第１のサブセットが、キャリアアグリゲーションのために構成された帯域内コンポーネントキャリアを備える、請求項４０に記載のシステム。
【請求項４３】
前記最大送信電力を計算するための前記手段が、
並行送信が第１の電力増幅器を介してサポートされるアップリンクコンポーネントキャリアの前記セット中の各キャリアの前記送信電力の実質的に等しいｄＢ増加を考慮することによって、前記第１のコンポーネントキャリアに関連する前記最大送信電力を計算するための手段と、
並行送信が第２の電力増幅器を介してサポートされるアップリンクキャリアの前記セット中のキャリアに関連する送信電力とは無関係に、前記第１のコンポーネントキャリアに関連する前記最大送信電力を計算するための手段と
をさらに備える、請求項４０に記載のシステム。
【請求項４４】
前記アップリンクコンポーネントキャリアの第２のサブセットの第２のコンポーネントキャリアに関連する第２の最大送信電力を計算するための手段であって、前記計算が、他の並行して送信されるアップリンクコンポーネントキャリアとは無関係に前記第２のアップリンクコンポーネントキャリア上で利用可能な前記電力ヘッドルームを考慮する、計算するための手段と、
前記第２の最大送信電力を計算することの結果に基づいて前記第２のコンポーネントキャリアのために利用可能な電力ヘッドルームを識別するための手段と、
前記第２のコンポーネントキャリアのために利用可能な前記電力ヘッドルームを備える電力ヘッドルーム報告（ＰＨＲ）の第２のタイプを生成するための手段と、
ＰＨＲの前記第２のタイプを含む前記ＰＨＲ通信を送信するための手段とをさらに備える、請求項４０に記載のシステム。
【請求項４５】
アップリンクコンポーネントキャリアの前記第１のサブセットは、単一のコンポーネントキャリアを備える、請求項４４に記載のシステム。
【請求項４６】
ＰＨＲの前記第１のタイプと前記第２のタイプとのうちのどちらが前記ＰＨＲ通信中に含まれるかを示す信号を送信するための手段をさらに備える、請求項４４に記載のシステム。
【請求項４７】
アップリンクコンポーネントキャリアの前記第１のサブセットの各々が第１の周波数帯域中で送信され、前記第２のアップリンクコンポーネントキャリアが、前記第１の周波数帯域とは異なる第２の周波数帯域中で送信される、請求項４４に記載のシステム。
【請求項４８】
各アップリンクコンポーネントキャリアの送信をサポートする電力増幅器が、前記アップリンクコンポーネントキャリアの前記周波数帯域に基づいて決定される、請求項４７に記載のシステム。
【請求項４９】
前記ＰＨＲ通信が前記第１のコンポーネントキャリアのみのための計算された最大送信電力に基づくことを示す信号を送信するための手段をさらに備える、請求項４０に記載のシステム。
【請求項５０】
モバイルデバイスから並行して送信されるべき複数のアップリンクコンポーネントキャリアの各々のために、前記モバイルデバイスにおいて利用可能な電力ヘッドルームを識別することと、
前記アップリンクコンポーネントキャリアのうちの２つ以上の送信をサポートするために１つの電力増幅器が使用されるべきであるとき、電力ヘッドルーム報告（ＰＨＲ）の第１のタイプが生成されるべきと決定し、前記アップリンクコンポーネントキャリアのうちの１つの送信をサポートするために１つの電力増幅器が使用されるべきであるとき、ＰＨＲの第２のタイプが生成されるべきと決定することと、
ＰＨＲの前記１つまたは複数のタイプに基づいて前記アップリンクコンポーネントキャリアのうちの１つまたは複数のための最大送信電力を計算することと、
前記決定することに基づいてＰＨＲの前記第１のタイプと前記第２のタイプとのうちの１つまたは複数を含むＰＨＲ通信を生成することであって、前記１つまたは複数のＰＨＲが前記計算された最大送信電力に基づく、生成することと、
前記ＰＨＲ通信を送信することとを備える、マルチキャリアシステムにおけるワイヤレス通信の方法。
【請求項５１】
最大送信電力を計算することが、
ＰＨＲの前記第１のタイプが生成されるべきであると決定されたとき、前記２つ以上のアップリンクコンポーネントキャリアのうちの少なくとも１つに関連する最大送信電力を計算することであって、前記計算が、各コンポーネントキャリアのための送信電力を実質的に等しい量だけ比例的に増加させることによって、前記２つ以上のアップリンクコンポーネントキャリアの各々において利用可能な前記電力ヘッドルームを考慮する、計算することを備える、請求項５０に記載の方法。
【請求項５２】
最大送信電力を計算することが、
ＰＨＲの前記第２のタイプが生成されるべきであると決定されたとき、前記１つのアップリンクコンポーネントキャリアに関連する最大送信電力を計算することであって、前記計算が、前記アップリンクコンポーネントキャリアのうちの他方の送信電力のいかなる増加とも無関係に前記１つのアップリンクコンポーネントキャリアにおいて利用可能な前記電力ヘッドルームを考慮する、計算することを備える、請求項５０に記載の方法。
【請求項５３】
ＰＨＲの前記第１のタイプと前記第２のタイプとのうちのどちらが送信されるかを示す信号を送信することをさらに備える、請求項５０に記載の方法。
【請求項５４】
前記２つ以上のアップリンクコンポーネントキャリアの各々が第１の周波数帯域中で送信され、前記１つのアップリンクコンポーネントキャリアが、前記第１の周波数帯域とは異なる第２の周波数帯域中で送信される、請求項５０に記載の方法。
【請求項５５】
各アップリンクコンポーネントキャリアの送信をサポートする前記電力増幅器が、前記アップリンクコンポーネントキャリアの前記周波数帯域に基づいて決定される、請求項５４に記載の方法。
【請求項５６】
ＰＨＲの前記第１のタイプが、前記２つ以上のアップリンクコンポーネントキャリアのうちの別の１つのための前記計算された最大送信電力に基づいて前記２つ以上のアップリンクコンポーネントキャリアのうちの１つについての電力ヘッドルーム情報を含む、請求項５４に記載の方法。
【請求項５７】
前記第１の最大送信電力が計算されるとき、ＰＨＲの前記第１のタイプが前記２つ以上のアップリンクコンポーネントキャリアのうちの１つのみのための計算された最大送信電力に基づくことを示す信号を送信することをさらに備える、請求項５０に記載の方法。
【請求項５８】
モバイルデバイスからの電力ヘッドルームを報告するためのコンピュータ可読記憶媒体であって、
前記モバイルデバイスから並行して送信されるべき複数のアップリンクコンポーネントキャリアの各々のために、前記モバイルデバイスにおいて利用可能な電力ヘッドルームを識別するためのコードと、
前記アップリンクコンポーネントキャリアのうちの２つ以上の送信をサポートするために１つの電力増幅器が使用されるべきであるとき、電力ヘッドルーム報告（ＰＨＲ）の第１のタイプが生成されるべきと決定し、前記アップリンクコンポーネントキャリアのうちの１つの送信をサポートするために１つの電力増幅器が使用されるべきであるとき、ＰＨＲの第２のタイプが生成されるべきと決定するためのコードと、
ＰＨＲの前記１つまたは複数のタイプに基づいて前記アップリンクコンポーネントキャリアのうちの１つまたは複数のための最大送信電力を計算するためのコードと、
前記決定することに基づいて、ＰＨＲの前記第１のタイプと前記第２のタイプとのうちの１つまたは複数を含むＰＨＲ通信を生成するためのコードであって、前記１つまたは複数のＰＨＲが前記計算された最大送信電力に基づく、生成するためのコードと、
前記ＰＨＲ通信を送信するためのコードと
を備えるコンピュータプログラムが記憶されたコンピュータ可読記憶媒体。
【請求項５９】
最大送信電力を計算するための前記コードが、
ＰＨＲの前記第１のタイプが生成されるべきであると決定されたとき、前記２つ以上のアップリンクコンポーネントキャリアのうちの少なくとも１つに関連する最大送信電力を計算するためのコードであって、前記計算が、各コンポーネントキャリアのための送信電力を実質的に等しい量だけ比例的に増加させることによって、前記２つ以上のアップリンクコンポーネントキャリアの各々において利用可能な前記電力ヘッドルームを考慮する、計算するためのコードとを備える、請求項５８に記載のコンピュータ可読記憶媒体。
【請求項６０】
最大送信電力を計算するための前記コードが、
ＰＨＲの前記第２のタイプが生成されるべきであると決定されたとき、前記１つのアップリンクコンポーネントキャリアに関連する最大送信電力を計算するためのコードであって、前記計算が、前記アップリンクコンポーネントキャリアのうちの他方の送信電力のいかなる増加とも無関係に前記１つのアップリンクコンポーネントキャリアにおいて利用可能な前記電力ヘッドルームを考慮する、計算するためのコードとを備える、請求項５８に記載のコンピュータ可読記憶媒体。
【請求項６１】
モバイルデバイスから並行して送信されるべき複数のアップリンクコンポーネントキャリアの各々のために、前記モバイルデバイスにおいて利用可能な電力ヘッドルームを識別するための手段と、
前記アップリンクコンポーネントキャリアのうちの２つ以上の送信をサポートするために１つの電力増幅器が使用されるべきであるとき、電力ヘッドルーム報告（ＰＨＲ）の第１のタイプが生成されるべきと決定し、前記アップリンクコンポーネントキャリアのうちの１つの送信をサポートするために１つの電力増幅器が使用されるべきであるとき、ＰＨＲの第２のタイプが生成されるべきと決定するための手段と、
ＰＨＲの前記１つまたは複数のタイプに基づいて前記アップリンクコンポーネントキャリアのうちの１つまたは複数のための最大送信電力を計算するための手段と、
前記決定することに基づいて、ＰＨＲの前記第１のタイプと前記第２のタイプとのうちの１つまたは複数を含むＰＨＲ通信を生成するための手段であって、前記１つまたは複数のＰＨＲが前記計算された最大送信電力に基づく、生成するための手段と、
前記ＰＨＲ通信を送信するための手段とを備える、マルチキャリアワイヤレス通信システム。
【請求項６２】
最大送信電力を計算するための前記手段が、
ＰＨＲの前記第１のタイプが生成されるべきであると決定されたとき、前記２つ以上のアップリンクコンポーネントキャリアのうちの少なくとも１つに関連する最大送信電力を計算するための手段であって、前記計算が、各コンポーネントキャリアのための前記送信電力を実質的に等しい量だけ比例的に増加させることによって、前記２つ以上のアップリンクコンポーネントキャリアの各々において利用可能な前記電力ヘッドルームを考慮する、計算するための手段を備える、請求項６１に記載のシステム。
【請求項６３】
最大送信電力を計算するための前記手段が、
ＰＨＲの前記第２のタイプが生成されるべきであると決定されたとき、前記１つのアップリンクコンポーネントキャリアに関連する最大送信電力を計算するための手段であって、前記計算が、前記アップリンクコンポーネントキャリアのうちの他方の送信電力のいかなる増加とも無関係に前記１つのアップリンクコンポーネントキャリアにおいて利用可能な前記電力ヘッドルームを考慮する、計算するための手段を備える、請求項６１に記載のシステム。
【請求項６４】
ＰＨＲの前記第１のタイプと前記第２のタイプとのうちのどちらが送信されるかを示す信号を送信するための手段をさらに備える、請求項６１に記載のシステム。
【請求項６５】
前記２つ以上のアップリンクコンポーネントキャリアの各々が第１の周波数帯域中で送信され、前記１つのアップリンクコンポーネントキャリアが、前記第１の周波数帯域とは異なる第２の周波数帯域中で送信される、請求項６１に記載のシステム。
【請求項６６】
各アップリンクコンポーネントキャリアの送信をサポートする前記電力増幅器が、前記アップリンクコンポーネントキャリアの前記周波数帯域に基づいて決定される、請求項６１に記載のシステム。
【請求項６７】
前記第１の最大送信電力が計算されるとき、ＰＨＲの前記第１のタイプが前記２つ以上のアップリンクコンポーネントキャリアのうちの１つのみのための計算された最大送信電力に基づくことを示す信号を送信するための手段をさらに備える、請求項６１に記載のシステム。
【請求項６８】
電力ヘッドルーム報告（ＰＨＲ）の第１のタイプとＰＨＲの第２のタイプとのうちの１つまたは複数を備えるＰＨＲ通信を受信するように構成された受信機モジュールであって、ＰＨＲの前記第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの前記第２のタイプが、単一の電力増幅器を通して送信される選択された１つのアップリンクコンポーネントキャリアに関連する第２の最大送信電力に基づく第２の電力ヘッドルーム情報を備える、受信機モジュールと、
ＰＨＲの前記第１のタイプと前記第２のタイプとのうちの前記１つまたは複数のうちのどちらが前記ＰＨＲ通信中に含まれるかを決定するように構成され、前記受信したＰＨＲ通信と、前記ＰＨＲ通信中に含まれるＰＨＲの前記１つまたは複数のタイプとに基づいて１つまたは複数の並行して送信されるべきアップリンクコンポーネントキャリアのための最大送信電力を決定するように構成された電力ヘッドルーム決定モジュールとを備える、ワイヤレス通信装置。
【請求項６９】
前記電力ヘッドルーム決定モジュールは、前記２つ以上のアップリンクコンポーネントキャリアが同じ周波数帯域中にあるとき、前記ＰＨＲ通信がＰＨＲの前記第１のタイプを含むことを決定するようにさらに構成された、請求項６８に記載の装置。
【請求項７０】
前記電力ヘッドルーム決定モジュールは、前記第１の最大送信電力が前記複数のアップリンクコンポーネントキャリアの各々のための送信電力を比例的に増加させることによって計算されることを考慮することによって、前記２つ以上のアップリンクコンポーネントキャリアのための前記最大送信電力を決定するようにさらに構成された、請求項６９に記載の装置。
【請求項７１】
前記電力ヘッドルーム決定モジュールは、前記選択された１つのアップリンクコンポーネントキャリアが前記複数のアップリンクコンポーネントキャリアのうちの他方の前記周波数帯域とは異なる周波数帯域中にあるとき、前記ＰＨＲ通信がＰＨＲの前記第２のタイプを含むと決定するようにさらに構成された、請求項６８に記載の装置。
【請求項７２】
前記電力ヘッドルーム決定モジュールは、前記第２の最大送信電力が前記アップリンクコンポーネントキャリアのうちの他方の送信電力のいかなる増加とも無関係に計算されることを考慮することによって、前記選択された１つのアップリンクコンポーネントキャリアのための前記最大送信電力を決定するようにさらに構成された、請求項７１に記載の装置。
【請求項７３】
前記第１の電力ヘッドルーム情報が前記２つ以上のアップリンクキャリアのうちの第１のアップリンクキャリアのための最大送信電力に基づき、前記電力ヘッドルーム決定モジュールは、前記２つ以上のアップリンクキャリアのうちの前記第１のアップリンクキャリアの現在の送信電力と前記第１の電力ヘッドルーム情報との間の差に基づいて前記２つ以上のアップリンクコンポーネントキャリアのうちの第２のアップリンクコンポーネントキャリアのための前記最大送信電力を決定するようにさらに構成された、請求項６９に記載の装置。
【請求項７４】
前記受信機モジュールは、複数の並行して送信されたアップリンクコンポーネントキャリアを受信するように構成された、請求項６９に記載の装置。
【請求項７５】
電力ヘッドルーム報告（ＰＨＲ）の第１のタイプとＰＨＲの第２のタイプとのうちの１つまたは複数を備えるＰＨＲ通信を受信することであって、ＰＨＲの前記第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの前記第２のタイプが、単一の電力増幅器を通して送信される選択された１つのアップリンクコンポーネントキャリアに関連する第２の最大送信電力に基づく第２の電力ヘッドルーム情報を備える、受信することと、
ＰＨＲの前記第１のタイプと前記第２のタイプとのうちの前記１つまたは複数のうちのどちらが前記ＰＨＲ通信中に含まれるかを決定することと、
前記受信したＰＨＲ通信と前記ＰＨＲ通信中に含まれるＰＨＲの前記１つまたは複数のタイプとに基づいて１つまたは複数の並行して送信されるべきアップリンクコンポーネントキャリアのための最大送信電力を決定することとを備える、マルチキャリアワイヤレス通信システムにおけるワイヤレス通信のための方法。
【請求項７６】
前記２つ以上のアップリンクコンポーネントキャリアが同じ周波数帯域中にあるとき、前記ＰＨＲ通信がＰＨＲの前記第１のタイプを含むと決定することをさらに備える、請求項７５に記載の方法。
【請求項７７】
前記第１の最大送信電力が前記複数のアップリンクコンポーネントキャリアの各々のための送信電力を比例的に増加させることによって計算されることを考慮することによって、前記２つ以上のアップリンクコンポーネントキャリアのための前記最大送信電力を決定することをさらに備える、請求項７６に記載の装置。
【請求項７８】
前記選択された１つのアップリンクコンポーネントキャリアが前記複数のアップリンクコンポーネントキャリアのうちの他方の前記周波数帯域とは異なる周波数帯域中にあるとき、前記ＰＨＲ通信がＰＨＲの前記第２のタイプを含むと決定することをさらに備える、請求項７５に記載の方法。
【請求項７９】
前記第２の最大送信電力が前記アップリンクコンポーネントキャリアの他方の送信電力のいかなる増加とも無関係に計算されることを考慮することによって、前記選択された１つのアップリンクコンポーネントキャリアのための前記最大送信電力を決定すること
をさらに備える、請求項７８に記載の方法。
【請求項８０】
前記第１の電力ヘッドルーム情報が前記２つ以上のアップリンクキャリアのうちの第１のアップリンクキャリアのための最大送信電力に基づき、前記最大送信電力を決定することが、前記２つ以上のアップリンクキャリアのうちの前記第１のアップリンクキャリアの現在の送信電力と前記第１の電力ヘッドルーム情報との間の差に基づいて前記２つ以上のアップリンクコンポーネントキャリアのうちの第２のアップリンクコンポーネントキャリアのための前記最大送信電力を決定することを備える、請求項７６に記載の方法。
【請求項８１】
複数の並行して送信されたアップリンクコンポーネントキャリアを受信すること、
をさらに備える請求項７６に記載の方法。
【請求項８２】
電力ヘッドルーム報告（ＰＨＲ）の第１のタイプとＰＨＲの第２のタイプとのうちの１つまたは複数を備えるＰＨＲ通信を受信するための手段であって、ＰＨＲの前記第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの前記第２のタイプが、単一の電力増幅器を通して送信される選択された１つのアップリンクコンポーネントキャリアに関連する第２の最大送信電力に基づく第２の電力ヘッドルーム情報を備える、受信するための手段と、
ＰＨＲの前記第１のタイプと前記第２のタイプとのうちの前記１つまたは複数のうちのどちらが前記ＰＨＲ通信中に含まれるかを決定するための手段と、
前記受信したＰＨＲ通信と、前記ＰＨＲ通信中に含まれるＰＨＲの前記１つまたは複数のタイプとに基づいて１つまたは複数の並行して送信されるべきアップリンクコンポーネントキャリアのための最大送信電力を決定するための手段とを備える、マルチキャリアワイヤレス通信システムにおけるワイヤレス通信のためのシステム。
【請求項８３】
前記２つ以上のアップリンクコンポーネントキャリアが同じ周波数帯域中にあるとき、前記ＰＨＲ通信がＰＨＲの前記第１のタイプを含むということを決定するための手段、
をさらに備える請求項８２に記載のシステム。
【請求項８４】
最大送信電力を決定するための前記手段が、
前記第１の最大送信電力が前記複数のアップリンクコンポーネントキャリアの各々のための送信電力を比例的に増加させることによって計算されることを考慮することによって、前記２つ以上のアップリンクコンポーネントキャリアのための前記最大送信電力を決定するための手段を備える、請求項８３に記載のシステム。
【請求項８５】
ＰＨＲの前記第１のタイプと前記第２のタイプとのうちの前記１つまたは複数のうちのどちらが前記ＰＨＲ通信中に含まれるかを決定するための前記手段が、
前記選択された１つのアップリンクコンポーネントキャリアが前記複数のアップリンクコンポーネントキャリアのうちの他方の前記周波数帯域とは異なる周波数帯域中にあるとき、前記ＰＨＲ通信がＰＨＲの前記第２のタイプを含むと決定するための手段を備える、請求項８２に記載のシステム。
【請求項８６】
前記第２の最大送信電力が前記アップリンクコンポーネントキャリアの他方の送信電力のいかなる増加とも無関係に計算されることを考慮することによって、前記選択された１つのアップリンクコンポーネントキャリアのための前記最大送信電力を決定するための手段、
をさらに備える、請求項８５に記載のシステム。
【請求項８７】
前記第１の電力ヘッドルーム情報が前記２つ以上のアップリンクキャリアのうちの第１のアップリンクキャリアのための最大送信電力に基づき、前記最大送信電力を決定するための前記手段が、
前記２つ以上のアップリンクキャリアのうちの前記第１のアップリンクキャリアの現在の送信電力と前記第１の電力ヘッドルーム情報との間の差に基づいて前記２つ以上のアップリンクコンポーネントキャリアのうちの第２のアップリンクコンポーネントキャリアのための前記最大送信電力を決定すること、
を備える、請求項８３に記載のシステム。
【請求項８８】
複数の並行して送信されたアップリンクコンポーネントキャリアを受信するための手段、
をさらに備える請求項８３に記載のシステム。
【請求項８９】
電力ヘッドルーム報告（ＰＨＲ）の第１のタイプとＰＨＲの第２のタイプとのうちの１つまたは複数を備えるＰＨＲ通信を受信するためのコードであって、ＰＨＲの前記第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの前記第２のタイプが、単一の電力増幅器を通して送信される選択された１つのアップリンクコンポーネントキャリアに関連する第２の最大送信電力に基づく第２の電力ヘッドルーム情報を備える、受信するためのコードと、
ＰＨＲの前記第１のタイプと前記第２のタイプとのうちの前記１つまたは複数のうちのどちらが前記ＰＨＲ通信中に含まれるかを決定するためのコードと、
前記受信したＰＨＲ通信と、前記ＰＨＲ通信中に含まれるＰＨＲの前記１つまたは複数のタイプとに基づいて１つまたは複数の並行して送信されるべきアップリンクコンポーネントキャリアのための最大送信電力を決定するためのコードと
を備えるコンピュータプログラムが記憶された、マルチキャリアワイヤレス通信システム中の送信電力を決定するためのコンピュータ可読記憶媒体。
【請求項９０】
前記コンピュータプログラムが、
前記２つ以上のアップリンクコンポーネントキャリアが同じ周波数帯域中にあるとき、前記ＰＨＲ通信がＰＨＲの前記第１のタイプを含むと決定し、前記選択された１つのアップリンクコンポーネントキャリアが前記複数のアップリンクコンポーネントキャリアのうちの他方の前記周波数帯域とは異なる周波数帯域中にあるとき、前記ＰＨＲ通信がＰＨＲの前記第２のタイプを含むと決定するためのコードをさらに備える、請求項８９に記載のコンピュータ可読記憶媒体。
【請求項９１】
前記コンピュータプログラムが、
前記第１の最大送信電力が前記複数のアップリンクコンポーネントキャリアの各々のための送信電力を比例的に増加させることによって計算されることを考慮することによって、前記２つ以上のアップリンクコンポーネントキャリアのための前記最大送信電力を決定するためのコードをさらに備える、請求項８９に記載のコンピュータ可読記憶媒体。
【発明の詳細な説明】
【技術分野】
【０００１】
[0001]
相互参照
本特許出願は、本出願の譲受人に譲渡され、参照により本明細書に明確に組み込まれる、２０１０年１１月９日に出願された「CARRIER GROUPING FOR POWER HEADROOM REPORT」と題する米国仮特許出願第６１／４１１，９１０号の優先権を主張する。
【背景技術】
【０００２】
[0002]  以下は、一般にワイヤレス通信に関し、より詳細には、マルチコンポーネントキャリア通信システムにおける電力ヘッドルーム報告（power headroom reporting）に関する。ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
[0003]  概して、ワイヤレス多元接続通信システムは、複数のワイヤレス端末のための通信を同時に（simultaneously）サポートすることができる。各端末は、順方向リンクおよび逆方向リンク上の送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力（ＳＩＳＯ）、多入力単出力（ＭＩＳＯ）または多入力多出力（ＭＩＭＯ）システムを介して確立され得る。干渉を低減し、効率を改善するために、端末は、最大電力制限を受ける基地局によって電力制御され得る。
【発明の概要】
【０００４】
[0004]  以下は、一般に、マルチコンポーネントキャリアワイヤレス通信システムにおける電力ヘッドルーム報告のためのシステム、方法、デバイス、およびコンピュータプログラム製品に関する。適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は単に例として与えるものにすぎない。
【０００５】
[0005]  一例では、モバイルデバイスからＰＨＲを送信するための新規の機能について説明する。モバイルデバイスは、いくつかの独立して電力制御されるコンポーネントキャリアの各々に関連する最大送信電力を識別し得る。各コンポーネントキャリアの識別された最大送信電力は、１つまたは複数の他のコンポーネントキャリアの識別された最大送信電力に基づいて決定（determine）され得る。識別された送信電力は、モバイルデバイスのためのコンポーネントキャリアのうちの１つまたは複数のために利用可能な電力ヘッドルームを決定するために使用され得る。モバイルデバイスは、基地局に電力ヘッドルーム報告を送信し得る。
【０００６】
[0006]  一例では、マルチキャリアシステムにおけるワイヤレス通信の方法が提供される。本方法は、モバイルデバイスによって並行して（concurrently）送信されるべきアップリンクコンポーネントキャリアのセットを決定することと、セット中の第１のコンポーネントキャリアに関連する最大送信電力を計算することであって、その計算が、コンポーネントキャリアの第１のサブセットの各々のための送信電力を比例的に増加させることによって、第１のコンポーネントキャリアを含むアップリンクコンポーネントキャリアの少なくとも第１のサブセット中の各コンポーネントキャリアの送信電力の増加を考慮する、計算することと、最大送信電力を計算することの結果に基づいて第１のコンポーネントキャリアのために利用可能な電力ヘッドルームを識別することと、第１のコンポーネントキャリアのために利用可能な電力ヘッドルームを備える電力ヘッドルーム報告（ＰＨＲ：power headroom report）の第１のタイプを生成することと、ＰＨＲの第１のタイプを含むＰＨＲ通信を送信することとを含む。送信電力を比例的に増加させることは、たとえば、コンポーネントキャリアの第１のサブセットの各々のための送信電力を、ｄＢ単位で測定される実質的に等しい量だけ増加させることを含み得る。アップリンクコンポーネントキャリアの第１のサブセットの各々は、一例では、同じ電力増幅器を介して並行して送信されるべきである。
【０００７】
[0007]  本方法はまた、アップリンクコンポーネントキャリアの第２のサブセットの第２のコンポーネントキャリアに関連する第２の最大送信電力を計算することであって、その計算が、他の並行して送信されるアップリンクコンポーネントキャリアとは無関係に第２のアップリンクコンポーネントキャリア上で利用可能な電力ヘッドルームを考慮する、計算することと、第２の最大送信電力を計算することの結果に基づいて第２のコンポーネントキャリアのために利用可能な電力ヘッドルームを識別することと、第２のコンポーネントキャリアのために利用可能な電力ヘッドルームを備える電力ヘッドルーム報告（ＰＨＲ）の第２のタイプを生成することと、ＰＨＲの第２のタイプを含むＰＨＲ通信を送信することとを含み得る。
【０００８】
[0008]  ＰＨＲの第１のタイプと第２のタイプとのうちのどちらがＰＨＲ通信中に含まれるかを示すために、および／またはＰＨＲ通信が第１のコンポーネントキャリアのみのための計算された最大送信電力に基づくことを示すために信号が送信され得る。いくつかの例では、アップリンクコンポーネントキャリアの第１のサブセットの各々は第１の周波数帯域中で送信され、第２のアップリンクコンポーネントキャリアは、第１の周波数帯域とは異なる第２の周波数帯域中で送信され、各アップリンクコンポーネントキャリアを送信する電力増幅器は、アップリンクコンポーネントキャリアの周波数帯域に基づいて決定され得る。コンポーネントキャリアの第２のサブセットは単一のアップリンクコンポーネントキャリアを含み得、コンポーネントキャリアの第１のサブセットは２つのアップリンクコンポーネントキャリアを含み得る。一例では、コンポーネントキャリアの第１のサブセットは第１のコンポーネントキャリアと第３のコンポーネントキャリアとを含み、ＰＨＲ通信は、第１のコンポーネントキャリアのための計算された最大送信電力に基づく第３のコンポーネントキャリアに対応する利用可能な電力ヘッドルームを含む。
【０００９】
[0009]  一例では、コンポーネントキャリアの第１のサブセット中の各コンポーネントキャリアは第１の電力増幅器を介して並行して送信され、少なくとも第２のコンポーネントキャリアは第２の電力増幅器を介してモバイルデバイスから並行して送信される。そのような場合、本方法はまた、第２のコンポーネントキャリアに関連する第２の最大送信電力を計算することであって、その計算が、他のアップリンクコンポーネントキャリアとは無関係に第２のコンポーネントキャリア上で利用可能な電力ヘッドルームを考慮する、計算することと、第２の計算された最大送信電力に基づいてＰＨＲの第２のタイプを生成することとを含み得、ＰＨＲ通信を送信することが、ＰＨＲの第２のタイプを送信することを備える。コンポーネントキャリアの第１のサブセットは、第１のコンポーネントキャリアと第３のコンポーネントキャリアとを含み得、第３のコンポーネントキャリアのための最大送信電力は、第１のコンポーネントキャリアのための計算された最大送信電力に基づいて決定され得る。一例では、本方法はまた、ＰＨＲの第１のタイプが、第１のコンポーネントキャリアのみのための計算された最大送信電力に基づき、ＰＨＲの第２のタイプが、第２の計算された最大送信電力に基づくことを示す信号を送信することを含む。ＰＨＲの第１のタイプは第１のサブセットの各コンポーネントキャリアのための計算された最大送信電力に基づき得、ＰＨＲの第２のタイプは第２の計算された最大送信電力に基づき得る。
【００１０】
[0010]  別の例では、マルチキャリアワイヤレス通信において電力ヘッドルームを報告するための装置が提供される。本装置は、並行して送信されるアップリンクコンポーネントキャリアのセット中の第１のコンポーネントキャリアに関連する最大送信電力を計算することであって、その計算が、アップリンクコンポーネントキャリアの第１のサブセットの各々のための送信電力を比例的に増加させることによって、第１のコンポーネントキャリアを含むアップリンクコンポーネントキャリアの少なくとも第１のサブセット中の各コンポーネントキャリアの送信電力の増加を考慮する、計算することと、計算された最大送信電力に基づいて第１のコンポーネントキャリアのために利用可能な電力ヘッドルームを識別することとを行うように構成された電力ヘッドルーム計算モジュールを含む。送信電力を比例的に増加させることは、たとえば、コンポーネントキャリアの第１のサブセットの各々のための送信電力を、ｄＢ単位で測定される実質的に等しい量だけ増加させることを含み得る。本装置は、第１のコンポーネントキャリアのために利用可能な電力ヘッドルームを備える電力ヘッドルーム報告（ＰＨＲ）の第１のタイプを生成するように構成された電力ヘッドルーム報告モジュールと、ＰＨＲの第１のタイプを含むＰＨＲ通信を送信するように構成された送信機モジュールとを含む。送信機モジュールは２つ以上の電力増幅器を含み得、アップリンクコンポーネントキャリアのサブセットの各々が、同じ電力増幅器を介して並行して送信されるべきである。電力ヘッドルーム計算モジュールはまた、アップリンクコンポーネントキャリアの第２のサブセットの第２のコンポーネントキャリアに関連する第２の最大送信電力を計算することであって、その計算が、他の並行して送信されるアップリンクコンポーネントキャリアとは無関係に第２のアップリンクコンポーネントキャリア上で利用可能な電力ヘッドルームを考慮する、計算することと、第２の最大送信電力を計算することの結果に基づいて第２のコンポーネントキャリアのために利用可能な電力ヘッドルームを識別することとを行うように構成され得る。電力ヘッドルーム報告モジュールは、第２のコンポーネントキャリアのために利用可能な電力ヘッドルームを備える電力ヘッドルーム報告（ＰＨＲ）の第２のタイプを生成するようにさらに構成され得、送信機は、ＰＨＲの第２のタイプを含むＰＨＲ通信を送信するようにさらに構成され得る。アップリンクコンポーネントキャリアの第１のサブセットの各々は、一例では、第１の周波数帯域中で送信され、第２のアップリンクコンポーネントキャリアは、第１の周波数帯域とは異なる第２の周波数帯域中で送信される。各アップリンクコンポーネントキャリアを送信する電力増幅器は、アップリンクコンポーネントキャリアの周波数帯域に基づいて決定され得る。
【００１１】
[0011]  別の例では、モバイルデバイスからの電力ヘッドルームを報告するためのコンピュータプログラム製品が提供される。本コンピュータプログラム製品は、モバイルデバイスによって並行して送信されるべきアップリンクコンポーネントキャリアのセットを決定するためのコードと、セット中の第１のコンポーネントキャリアに関連する最大送信電力を計算するためのコードであって、その計算が、アップリンクコンポーネントキャリアの第１のサブセットの各々のための送信電力を比例的に増加させることによって、第１のコンポーネントキャリアを含むアップリンクコンポーネントキャリアの少なくとも第１のサブセット中の各コンポーネントキャリアの送信電力の増加を考慮する、計算するためのコードと、最大送信電力を計算することの結果に基づいて第１のコンポーネントキャリアのために利用可能な電力ヘッドルームを識別するためのコードと、第１のコンポーネントキャリアのために利用可能な電力ヘッドルームを備える電力ヘッドルーム報告（ＰＨＲ）の第１のタイプを生成するためのコードと、ＰＨＲの第１のタイプを含むＰＨＲ通信を送信するためのコードとを備える有形（tangible）コンピュータ可読媒体を含み得る。送信電力を比例的に増加させることは、たとえば、コンポーネントキャリアの第１のサブセットの各々のための送信電力を、ｄＢ単位で測定される実質的に等しい量だけ増加させることを含み得る。
【００１２】
[0012]  本コンピュータ可読媒体はまた、一例では、アップリンクコンポーネントキャリアの第２のサブセットの第２のコンポーネントキャリアに関連する第２の最大送信電力を計算するためのコードであって、その計算が、他の並行して送信されるアップリンクコンポーネントキャリアとは無関係に第２のアップリンクコンポーネントキャリア上で利用可能な電力ヘッドルームを考慮する、計算するためのコードと、第２の最大送信電力を計算することの結果に基づいて第２のコンポーネントキャリアのために利用可能な電力ヘッドルームを識別するためのコードと、第２のコンポーネントキャリアのために利用可能な電力ヘッドルームを備える電力ヘッドルーム報告（ＰＨＲ）の第２のタイプを生成するためのコードと、ＰＨＲの第２のタイプを含むＰＨＲ通信を送信するためのコードとを含み得る。本コンピュータ可読媒体は、ＰＨＲの第１のタイプと第２のタイプとのうちのどちらがＰＨＲ通信中に含まれるかを示す信号を送信するためのコードをさらに含み得る。アップリンクコンポーネントキャリアの第１のサブセットの各々は、一例では、第１の周波数帯域中で送信され、第２のアップリンクコンポーネントキャリアは、第１の周波数帯域とは異なる第２の周波数帯域中で送信される。本コンピュータ可読媒体は、ＰＨＲ通信が第１のコンポーネントキャリアのみのための計算された最大送信電力に基づくことを示す信号を送信するためのコードをさらに含み得る。
【００１３】
[0013]  別の例では、マルチキャリアワイヤレス通信システムにおいて電力ヘッドルームを報告するためのモバイルデバイスが提供される。本モバイルデバイスは、並行して送信されるべきアップリンクコンポーネントキャリアのセットを決定するための手段と、セット中の第１のコンポーネントキャリアに関連する最大送信電力を計算するための手段であって、その計算が、アップリンクコンポーネントキャリアの第１のサブセットの各々のための送信電力を比例的に増加させることによって、第１のコンポーネントキャリアを含むアップリンクコンポーネントキャリアの少なくとも第１のサブセット中の各コンポーネントキャリアの送信電力の増加を考慮する、計算するための手段と、最大送信電力を計算することの結果に基づいて第１のコンポーネントキャリアのために利用可能な電力ヘッドルームを識別するための手段と、第１のコンポーネントキャリアのために利用可能な電力ヘッドルームを備える電力ヘッドルーム報告（ＰＨＲ）の第１のタイプを生成するための手段と、ＰＨＲの第１のタイプを含むＰＨＲ通信を送信するための手段とを含む。送信電力を比例的に増加させることは、たとえば、コンポーネントキャリアの第１のサブセットの各々のための送信電力を、ｄＢ単位で測定される実質的に等しい量だけ増加させることを含み得る。
【００１４】
[0014]  本モバイルデバイスはまた、アップリンクコンポーネントキャリアの第２のサブセットの第２のコンポーネントキャリアに関連する第２の最大送信電力を計算するための手段であって、その計算が、他の並行して送信されるアップリンクコンポーネントキャリアとは無関係に第２のアップリンクコンポーネントキャリア上で利用可能な電力ヘッドルームを考慮する、計算するための手段と、第２の最大送信電力を計算することの結果に基づいて第２のコンポーネントキャリアのために利用可能な電力ヘッドルームを識別するための手段と、第２のコンポーネントキャリアのために利用可能な電力ヘッドルームを備える電力ヘッドルーム報告（ＰＨＲ）の第２のタイプを生成するための手段と、ＰＨＲの第２のタイプを含むＰＨＲ通信を送信するための手段とを含み得る。本システムには、ＰＨＲの第１のタイプと第２のタイプとのうちのどちらがＰＨＲ通信中に含まれるかを示す信号を送信するための手段も含まれ得る。別の例では、本モバイルデバイスはまた、ＰＨＲ通信が第１のコンポーネントキャリアのみのための計算された最大送信電力に基づくことを示す信号を送信するための手段を含む。
【００１５】
[0015]  別の例は、マルチキャリアシステムにおけるワイヤレス通信の方法を提供する。本方法は、モバイルデバイスから並行して送信されるべき複数のアップリンクコンポーネントキャリアの各々のために、モバイルデバイスにおいて利用可能な電力ヘッドルームを識別することと、アップリンクコンポーネントキャリアのうちの２つ以上を送信するために１つの電力増幅器が使用されるべきであるとき、電力ヘッドルーム報告（ＰＨＲ）の第１のタイプが生成されるべきと決定し、アップリンクコンポーネントキャリアのうちの１つを送信するために１つの電力増幅器が使用されるべきであるとき、ＰＨＲの第２のタイプが生成されるべきと決定することと、ＰＨＲの１つまたは複数のタイプに基づいてアップリンクコンポーネントキャリアのうちの１つまたは複数のための最大送信電力を計算することと、上記決定することに基づいてＰＨＲの第１のタイプと第２のタイプとのうちの１つまたは複数を含むＰＨＲ通信を生成することであって、１つまたは複数のＰＨＲが計算された最大送信電力に基づく、生成することと、ＰＨＲ通信を送信することとを含む。最大送信電力を計算することは、ＰＨＲの第１のタイプが生成されるべきであると決定されたとき、２つ以上のアップリンクコンポーネントキャリアのうちの少なくとも１つに関連する最大送信電力を計算することであって、その計算が、各コンポーネントキャリアのための送信電力を実質的に等しい量だけ比例的に増加させることによって、２つ以上のアップリンクコンポーネントキャリアの各々において利用可能な電力ヘッドルームを考慮する、計算することを含み得る。最大送信電力を計算することはまた、ＰＨＲの第２のタイプが生成されるべきであると決定されたとき、１つのアップリンクコンポーネントキャリアに関連する最大送信電力を計算することであって、その計算が、アップリンクコンポーネントキャリアのうちの他方の送信電力のいかなる増加とも無関係に１つのアップリンクコンポーネントキャリアにおいて利用可能な電力ヘッドルームを考慮する、計算することを含み得る。
【００１６】
[0016]  本方法はまた、ＰＨＲの第１のタイプと第２のタイプとのうちのどちらが送信されるかを示す信号を送信することを含み得る。２つ以上のアップリンクコンポーネントキャリアの各々は、一例では、第１の周波数帯域中で送信され、１つのアップリンクコンポーネントキャリアは、第１の周波数帯域とは異なる第２の周波数帯域中で送信される。各アップリンクコンポーネントキャリアを送信する電力増幅器は、アップリンクコンポーネントキャリアの周波数帯域に基づいて決定され得る。ＰＨＲの第１のタイプは、２つ以上のアップリンクコンポーネントキャリアのうちの別の１つのための計算された最大送信電力に基づいて２つ以上のアップリンクコンポーネントキャリアのうちの１つについての電力ヘッドルーム情報を含み得る。第１の最大送信電力が計算されるとき、ＰＨＲの第１のタイプが２つ以上のアップリンクコンポーネントキャリアのうちの１つのみのための計算された最大送信電力に基づくことを示すための信号が送信され得る。
【００１７】
[0017]  さらなる例は、モバイルデバイスからの電力ヘッドルームを報告するためのコンピュータプログラム製品であって、モバイルデバイスから並行して送信されるべき複数のアップリンクコンポーネントキャリアの各々のために、モバイルデバイスにおいて利用可能な電力ヘッドルームを識別するためのコードと、アップリンクコンポーネントキャリアのうちの２つ以上を送信するために１つの電力増幅器が使用されるべきであるとき、電力ヘッドルーム報告（ＰＨＲ）の第１のタイプが生成されるべきと決定し、アップリンクコンポーネントキャリアのうちの１つを送信するために１つの電力増幅器が使用されるべきであるとき、ＰＨＲの第２のタイプが生成されるべきと決定するためのコードと、ＰＨＲの１つまたは複数のタイプに基づいてアップリンクコンポーネントキャリアのうちの１つまたは複数のための最大送信電力を計算するためのコードと、上記決定することに基づいてＰＨＲの第１のタイプと第２のタイプとのうちの１つまたは複数を含むＰＨＲ通信を生成するためのコードであって、１つまたは複数のＰＨＲが計算された最大送信電力に基づく、生成するためのコードと、ＰＨＲ通信を送信するためのコードとを含む有形コンピュータ可読媒体を備えるコンピュータプログラム製品を提供する。最大送信電力を計算するためのコードは、ＰＨＲの第１のタイプが生成されるべきであると決定されたとき、２つ以上のアップリンクコンポーネントキャリアのうちの少なくとも１つに関連する最大送信電力を計算するためのコードであって、その計算が、各コンポーネントキャリアのための送信電力を実質的に等しい量だけ比例的に増加させることによって、２つ以上のアップリンクコンポーネントキャリアの各々において利用可能な電力ヘッドルームを考慮する、計算するためのコードを含み得る。最大送信電力を計算するためのコードはまた、ＰＨＲの第２のタイプが生成されるべきであると決定されたとき、１つのアップリンクコンポーネントキャリアに関連する最大送信電力を計算するためのコードであって、その計算が、アップリンクコンポーネントキャリアのうちの他方の送信電力のいかなる増加とも無関係に１つのアップリンクコンポーネントキャリアにおいて利用可能な電力ヘッドルームを考慮する、計算するためのコードを含み得る。
【００１８】
[0018]  別の例では、モバイルデバイスが提供される。本モバイルデバイスは、モバイルデバイスから並行して送信されるべき複数のアップリンクコンポーネントキャリアの各々のために利用可能な電力ヘッドルームを識別するための手段と、アップリンクコンポーネントキャリアのうちの２つ以上を送信するために１つの電力増幅器が使用されるべきであるとき、電力ヘッドルーム報告（ＰＨＲ）の第１のタイプが生成されるべきと決定し、アップリンクコンポーネントキャリアのうちの１つを送信するために１つの電力増幅器が使用されるべきであるとき、ＰＨＲの第２のタイプが生成されるべきと決定するための手段と、ＰＨＲの１つまたは複数のタイプに基づいてアップリンクコンポーネントキャリアのうちの１つまたは複数のための最大送信電力を計算するための手段と、上記決定することに基づいてＰＨＲの第１のタイプと第２のタイプとのうちの１つまたは複数を含むＰＨＲ通信を生成するための手段であって、１つまたは複数のＰＨＲが計算された最大送信電力に基づく、生成するための手段と、ＰＨＲ通信を送信するための手段とを含む。最大送信電力を計算するための手段は、ＰＨＲの第１のタイプが生成されるべきであると決定されたとき、２つ以上のアップリンクコンポーネントキャリアのうちの少なくとも１つに関連する最大送信電力を計算するための手段であって、その計算が、各コンポーネントキャリアのための送信電力を実質的に等しい量だけ比例的に増加させることによって、２つ以上のアップリンクコンポーネントキャリアの各々において利用可能な電力ヘッドルームを考慮する、計算するための手段を含み得る。最大送信電力を計算するための手段は、別の例では、ＰＨＲの第２のタイプが生成されるべきであると決定されたとき、１つのアップリンクコンポーネントキャリアに関連する最大送信電力を計算するための手段であって、その計算が、アップリンクコンポーネントキャリアのうちの他方の送信電力のいかなる増加とも無関係に１つのアップリンクコンポーネントキャリアにおいて利用可能な電力ヘッドルームを考慮する、計算するための手段を含む。
【００１９】
[0019]  本モバイルデバイスはまた、ＰＨＲの第１のタイプと第２のタイプとのうちのどちらが送信されるかを示す信号を送信するための手段を含み得る。２つ以上のアップリンクコンポーネントキャリアの各々は、一例では、第１の周波数帯域中で送信され、１つのアップリンクコンポーネントキャリアは、第１の周波数帯域とは異なる第２の周波数帯域中で送信される。各アップリンクコンポーネントキャリアを送信する電力増幅器は、アップリンクコンポーネントキャリアの周波数帯域に基づいて決定され得る。本システムは、一例では、第１の最大送信電力が計算されるとき、ＰＨＲの第１のタイプが２つ以上のアップリンクコンポーネントキャリアのうちの１つのみのための計算された最大送信電力に基づくことを示す信号を送信するための手段をさらに含む。
【００２０】
[0020]  さらに別の例では、電力ヘッドルーム報告（ＰＨＲ：power headroom report）の第１のタイプとＰＨＲの第２のタイプとのうちの１つまたは複数を備えるＰＨＲ通信を受信するように構成された受信機モジュールであって、ＰＨＲの第１のタイプが、単一の電力増幅器を使用する同時送信に関連する２つ以上のアップリンクコンポーネントキャリアに関連する第１の最大送信電力に基づく第１の電力ヘッドルーム情報を備え、ＰＨＲの第２のタイプが、単一の電力増幅器を通して送信される選択された１つのアップリンクコンポーネントキャリアに関連する第２の最大送信電力に基づく第２の電力ヘッドルーム情報を備える、受信機モジュールを含むワイヤレス通信装置が提供される。本装置はまた、ＰＨＲの第１のタイプと第２のタイプとのうちの１つまたは複数のうちのどちらがＰＨＲ通信中に含まれるかを決定するように構成され、受信したＰＨＲ通信と、ＰＨＲ通信中に含まれるＰＨＲの１つまたは複数のタイプとに基づいて１つまたは複数の同時送信されるべきアップリンクコンポーネントキャリアのための最大送信電力を決定するように構成された電力ヘッドルーム決定モジュールを含む。電力ヘッドルーム決定モジュールは、２つ以上のアップリンクコンポーネントキャリアが同じ周波数帯域中にあるとき、ＰＨＲ通信がＰＨＲの第１のタイプを含むことを決定するようにさらに構成され得る。電力ヘッドルーム決定モジュールはまた、第１の最大送信電力が複数のアップリンクコンポーネントキャリアの各々のための送信電力を比例的に増加させることによって計算されるとき、２つ以上のアップリンクコンポーネントキャリアのための最大送信電力を決定するようにさらに構成され得る。送信電力を比例的に増加させることは、たとえば、複数のアップリンクコンポーネントキャリアの各々のための送信電力を、ｄＢ単位で測定される実質的に等しい量だけ増加させることを含み得る。
【００２１】
[0021]  一例では、電力ヘッドルーム決定モジュールは、選択された１つのアップリンクコンポーネントキャリアが複数のアップリンクコンポーネントキャリアのうちの他方の周波数帯域とは異なる周波数帯域中にあるとき、ＰＨＲ通信がＰＨＲの第２のタイプを含むと決定するようにさらに構成される。電力ヘッドルーム決定モジュールは、第２の最大送信電力がアップリンクコンポーネントキャリアのうちの他方の送信電力のいかなる増加とも無関係に計算されるとき、選択された１つのアップリンクコンポーネントキャリアのための最大送信電力を決定するようにさらに構成され得る。第１の電力ヘッドルーム情報は、２つ以上のアップリンクキャリアのうちの第１のアップリンクキャリアのための最大送信電力に基づき得、電力ヘッドルーム決定モジュールは、２つ以上のアップリンクキャリアのうちの第１のアップリンクキャリアの現在の送信電力と第１の電力ヘッドルーム情報との間の差に基づいて２つ以上のアップリンクコンポーネントキャリアのうちの第２のアップリンクコンポーネントキャリアのための最大送信電力を決定するようにさらに構成され得る。受信機モジュールは、複数の並行して送信されたアップリンクコンポーネントキャリアを受信するように構成され得る。
【００２２】
[0022]  さらなる例では、マルチキャリアワイヤレス通信システムにおけるワイヤレス通信のための方法が提供される。この例の方法は、電力ヘッドルーム報告（ＰＨＲ）の第１のタイプとＰＨＲの第２のタイプとのうちの１つまたは複数を備えるＰＨＲ通信を受信することであって、ＰＨＲの第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの第２のタイプが、単一の電力増幅器を通して送信される選択された１つのアップリンクコンポーネントキャリアに関連する第２の最大送信電力に基づく第２の電力ヘッドルーム情報を備える、受信することと、ＰＨＲの第１のタイプと第２のタイプとのうちの１つまたは複数のうちのどちらがＰＨＲ通信中に含まれるかを決定することと、受信したＰＨＲ通信とＰＨＲ通信中に含まれるＰＨＲの１つまたは複数のタイプとに基づいて１つまたは複数の並行して送信されるべきアップリンクコンポーネントキャリアのための最大送信電力を決定することとを含む。本方法は、２つ以上のアップリンクコンポーネントキャリアが同じ周波数帯域中にあるとき、ＰＨＲ通信がＰＨＲの第１のタイプを含むと決定すること、第１の最大送信電力が複数のアップリンクコンポーネントキャリアの各々のための送信電力を比例的に増加させることによって計算されることを考慮することによって、２つ以上のアップリンクコンポーネントキャリアのための最大送信電力を決定すること、および／または選択された１つのアップリンクコンポーネントキャリアが複数のアップリンクコンポーネントキャリアのうちの他方の周波数帯域とは異なる周波数帯域中にあるとき、ＰＨＲ通信がＰＨＲの第２のタイプを含むと決定することをさらに含み得る。送信電力を比例的に増加させることは、たとえば、複数のアップリンクコンポーネントキャリアの各々のための送信電力を、ｄＢ単位で測定される実質的に等しい量だけ増加させることを含み得る。第１の電力ヘッドルーム情報は、２つ以上のアップリンクキャリアのうちの第１のアップリンクキャリアのための最大送信電力に基づき得、最大送信電力を決定することは、２つ以上のアップリンクキャリアのうちの第１のアップリンクキャリアの現在の送信電力と第１の電力ヘッドルーム情報との間の差に基づいて２つ以上のアップリンクコンポーネントキャリアのうちの第２のアップリンクコンポーネントキャリアのための最大送信電力を決定することを含み得る。
【００２３】
[0023]  別の例では、マルチキャリアワイヤレス通信システムにおける基地局が提供される。この例の基地局は、電力ヘッドルーム報告（ＰＨＲ）の第１のタイプとＰＨＲの第２のタイプとのうちの１つまたは複数を備えるＰＨＲ通信を受信するための手段であって、ＰＨＲの第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの第２のタイプが、単一の電力増幅器を通して送信される選択された１つのアップリンクコンポーネントキャリアに関連する第２の最大送信電力に基づく第２の電力ヘッドルーム情報を備える、受信するための手段と、ＰＨＲの第１のタイプと第２のタイプとのうちの１つまたは複数のうちのどちらがＰＨＲ通信中に含まれるかを決定するための手段と、受信したＰＨＲ通信と、ＰＨＲ通信中に含まれるＰＨＲの１つまたは複数のタイプとに基づいて１つまたは複数の同時送信されるべきアップリンクコンポーネントキャリアのための最大送信電力を決定するための手段とを含む。最大送信電力を決定するための手段は、第１の最大送信電力が複数のアップリンクコンポーネントキャリアの各々のための送信電力を比例的に増加させることによって計算されるとき、２つ以上のアップリンクコンポーネントキャリアのための最大送信電力を決定するための手段を含み得る。送信電力を比例的に増加させることは、たとえば、複数のアップリンクコンポーネントキャリアの各々のための送信電力を、ｄＢ単位で測定される実質的に等しい量だけ増加させることを含み得る。ＰＨＲの第１のタイプと第２のタイプとのうちの１つまたは複数のうちのどちらがＰＨＲ通信中に含まれるかを決定するための手段は、選択された１つのアップリンクコンポーネントキャリアが複数のアップリンクコンポーネントキャリアのうちの他方の周波数帯域とは異なる周波数帯域中にあるとき、ＰＨＲ通信がＰＨＲの第２のタイプを含むと決定するための手段を含み得る。
【００２４】
[0024]  さらなる例は、電力ヘッドルーム報告（ＰＨＲ）の第１のタイプとＰＨＲの第２のタイプとのうちの１つまたは複数を含むＰＨＲ通信を受信するためのコードであって、ＰＨＲの第１のタイプが、単一の電力増幅器を通して並行して送信されるべき２つ以上のアップリンクコンポーネントキャリアに関連する第１の最大送信電力に基づく第１の電力ヘッドルーム情報を有し、ＰＨＲの第２のタイプが、単一の電力増幅器を通して送信される選択された１つのアップリンクコンポーネントキャリアに関連する第２の最大送信電力に基づく第２の電力ヘッドルーム情報を有する、受信するためのコードと、ＰＨＲの第１のタイプと第２のタイプとのうちの１つまたは複数のうちのどちらがＰＨＲ通信中に含まれるかを決定するためのコードと、受信したＰＨＲ通信と、ＰＨＲ通信中に含まれるＰＨＲの１つまたは複数のタイプとに基づいて１つまたは複数の同時送信されるべきアップリンクコンポーネントキャリアのための最大送信電力を決定するためのコードとを含む、有形コンピュータ可読媒体を備える、マルチキャリアワイヤレス通信システム中の送信電力を決定するためのコンピュータプログラム製品を提供する。コンピュータ可読媒体はまた、２つ以上のアップリンクコンポーネントキャリアが同じ周波数帯域中にあるとき、ＰＨＲ通信がＰＨＲの第１のタイプを含むと決定し、選択された１つのアップリンクコンポーネントキャリアが複数のアップリンクコンポーネントキャリアのうちの他方の周波数帯域とは異なる周波数帯域中にあるとき、ＰＨＲ通信がＰＨＲの第２のタイプを含むと決定するためのコードと、第１の最大送信電力が複数のアップリンクコンポーネントキャリアの各々のための送信電力を比例的に増加させることによって計算されることを考慮することによって、２つ以上のアップリンクコンポーネントキャリアのための最大送信電力を決定するためのコードとを含み得る。送信電力を比例的に増加させることは、たとえば、複数のアップリンクコンポーネントキャリアの各々のための送信電力を、ｄＢ単位で測定される実質的に等しい量だけ増加させることを含み得る。
【００２５】
[0025]  様々な実施形態のこれらおよび他の特徴は、その動作の構成および様式とともに、添付の図面とともに以下の発明を実施するための形態を読めば明らかになろう。図面全体にわたって、同様の部分を指すのに同様の参照符号を使用する。
【００２６】
[0026]  本発明の性質および利点のさらなる理解は、以下の図面を参照して実現され得る。添付の図において、同様の構成要素または特徴は同じ参照ラベルを有し得る。さらに、同じタイプの様々な構成要素は、ダッシュによる参照ラベルと、それらの同様の構成要素同士を区別する第２のラベルとを見ることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【００２７】
[0027]  限定ではなく例として、添付の図面を参照することによって、様々な開示する実施形態が示されている。
【図面の簡単な説明】
【００２８】
【図１】[0028]  ワイヤレス通信システムを示す図。
【図２】[0029]  ワイヤレス通信システム中の送信機および受信機のブロック図。
【図３Ａ】[0030]  複数のコンポーネントキャリア（ＣＣ：component carriers）を介して通信するためのワイヤレス通信システムのブロック図。
【図３Ｂ】[0031]  複数のＣＣを介して通信するための別のワイヤレス通信システムのブロック図。
【図４】[0032]  複数のＣＣとそれらのＣＣのための周波数帯域との図。
【図５】[0033]  複数のＣＣのための電力ヘッドルーム報告を可能にするユーザ機器のブロック図。
【図６】[0034]  複数のＣＣのための電力ヘッドルーム報告を可能にする基地局のブロック図。
【図７】[0035]  複数のＣＣのための電力ヘッドルーム報告を決定し、送信するための方法のフローチャート。
【図８】[0036]  複数のＣＣのための電力ヘッドルーム報告を決定し、送信するための別の方法のフローチャート。
【図９】[0037]  複数のＣＣのための電力ヘッドルーム報告を決定し、送信するための別の方法のフローチャート。
【図１０】[0038]  複数のＣＣのための送信された電力ヘッドルーム報告を使用するワイヤレス通信のための方法のフローチャート。
【図１１】[0039]  複数のＣＣのための送信された電力ヘッドルーム報告を使用するワイヤレス通信のための別の方法のフローチャート。
【発明を実施するための形態】
【００２９】
[0040]  マルチキャリアシステムにおける電力ヘッドルーム報告のためのシステム、方法、デバイス、およびコンピュータプログラム製品について説明する。いくつかの例では、モバイルデバイスは、コンポーネントキャリア（ＣＣ：component carrier）のサブセット中の第１のＣＣに関連する最大送信電力の計算を通して、マルチキャリア構成において利用可能な電力ヘッドルームを決定する。その計算は、ＣＣのサブセットの各々のための送信電力を比例的に増加させることによって、サブセット中の他のコンポーネントキャリアの送信電力の増加を考慮することができる。送信電力を比例的に増加させることは、たとえば、コンポーネントキャリアのサブセットの各々のための送信電力を、ｄＢ単位で測定される実質的に等しい量だけ増加させることを含み得る。計算の結果に基づいてＣＣのうちの１つまたは複数のための電力ヘッドルームが識別され、第１のＣＣのために利用可能な電力ヘッドルームを含む電力ヘッドルーム報告（ＰＨＲ：power headroom report）が生成され得る。いくつかの例では、モバイルデバイスは、１つまたは複数の電力増幅器（ＰＡ：power amplifier）の構成に基づいてＰＨＲの第１のタイプと第２のタイプとのうちのどちらが（またはその両方が）生成されるべきかを決定し、ＣＣのうちの２つ以上を送信するために１つのＰＡが使用されるべきであるとき、ＰＨＲの第１のタイプが生成され、ＣＣのうちの１つを送信するために１つのＰＡが使用されるべきであるとき、ＰＨＲの第２のタイプが生成される。モバイルデバイスは、ＰＨＲを基地局に送信し得る。
【００３０】
[0041]  以下の説明は、例を与えるものであり、特許請求の範囲において記載される範囲、適用性、または構成を限定するものではない。本開示の趣旨および範囲から逸脱することなく、説明される要素の機能および構成において変更が行われ得る。様々な実施形態は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの実施形態に関して説明される特徴は、他の実施形態において組み合わせられ得る。
【００３１】
[0042]  最初に図１を参照すると、ブロック図に、様々な開示する例が実装され得るワイヤレス通信システム１００の一例が示されている。システム１００は、基地局１０５と、ユーザ機器１１０とを含む。もちろん、そのようなシステムは、一般に、いくつかの基地局１０５とユーザ機器１１０とを含むが、システムの説明を単純化するために、図１には単一の基地局１０５とユーザ機器１１０とを示している。基地局１０５は、たとえば、マクロセル、フェムトセル、ピコセル、および／あるいは同様の基地局、モバイル基地局、またはリレーノードであり得る。システム１００は、各々が異なる周波数の波形信号を含む複数のコンポーネントキャリア（ＣＣ）上での動作をサポートする。図１において、複数のアップリンクＣＣ１１５は、ユーザ機器１１０から基地局１０５にアップリンク送信を搬送する。複数のダウンリンクＣＣ１２０は、基地局１０５からユーザ機器１１０にダウンリンク送信を搬送する。本開示の態様は、任意の数の他のタイプのシステムに適用可能であり得るが、システム１００は、ネットワークリソースを効率的に割り振ることが可能なマルチキャリアＬＴＥネットワークであり得る。
【００３２】
[0043]  基地局１０５は、１つまたは複数の基地局アンテナを介してユーザ機器１１０とワイヤレス通信し得る。基地局１０５は、複数のアップリンクおよび／またはダウンリンクＣＣ１１５および１２０を介して基地局コントローラの制御下でユーザ機器１１０と通信するように構成される。基地局１０５は、ノードＢ、またはＬＴＥネットワーク中の拡張ノードＢ（ｅノードＢ）であり得る。基地局１０５は特定の地理的エリアに対して通信カバレージを与え得、他の基地局１０５は異なる地理的エリアに対してカバレージを与え得る。複数のユーザ機器１１０は、カバレージエリア全体にわたって分散され得る。ユーザ機器１１０は、たとえば、移動局、モバイルデバイス、アクセス端末（ＡＴ）、または加入者ユニットであり得る。そのようなユーザ機器１１０は、セルラーフォンとワイヤレス通信デバイスとを含み得るが、携帯情報端末（ＰＤＡ）、スマートフォン、他のハンドヘルドデバイス、ネットブック、ノートブックコンピュータ、タブレットコンピュータなどでもあり得る。
【００３３】
[0044]  ユーザ機器１１０は、基地局１０５に電力ヘッドルーム報告（ＰＨＲ）を送信し得る。この報告は、最大ユーザ機器送信電力と（たとえば、現在のアップリンク許可に従う）計算されたユーザ機器送信電力との間の差を識別する情報を含み得る。ＰＨＲは、周期的に送信されるか、またはダウンリンク経路損失がしきい値を超える量だけ変化したときに送信され得、物理アップリンク制御チャネル（ＰＵＣＣＨ：physical uplink control channel）、物理アップリンク共有チャネル（ＰＵＳＣＨ：physical uplink shared channel）、またはその両方のチャネルに関係し得る。ＰＨＲを受信したことに応答して、基地局１０５は、ＰＵＣＣＨまたはＰＵＳＣＨのいずれかのためのアップコマンドまたはダウンコマンドを送ることができる。
【００３４】
[0045]  ユーザ機器１１０は、いくつかの独立して電力制御されたアップリンクＣＣの各々に関連する送信電力を識別するように構成され得る。独立して電力制御されたアップリンクＣＣは、モバイルデバイス１１０が使用するように構成された複数のアップリンクキャリア上での送信に関係し得る。さらに、アップリンクＣＣ上の１つまたは複数は、単一の電力増幅器（ＰＡ：power amplifier）、または２つ以上の別個の電力増幅器を使用してユーザ機器１１０から送信され得る。電力ヘッドルーム報告（ＰＨＲ）は、逆方向リンク１１５上で（たとえば、単一のプロトコルデータユニット（ＰＤＵ：protocol data unit）中で）送信され得、ＰＡの構成と利用可能な電力ヘッドルームに対するＰＡ構成の影響とを考慮に入れて、ユーザ機器１１０のために利用可能な計算された電力ヘッドルームを含み得る。たとえば、以下でさらに詳細に説明するように、ユーザ機器１１０は、第１のＰＡを使用して２つのＣＣ（たとえば、第１のＣＣおよび第２のＣＣ）上で送信するように構成され、第２のＰＡを使用して第３のＣＣ上で送信するように構成され得る。第１のＰＡを使用して送信されるＣＣの各々の最大送信電力は、第１のＰＡを使用して並行して送信される（１つまたは複数の）他のＣＣによる影響を受けることになる。一例では、第１のＣＣのための最大送信電力が計算され、第２のＣＣのための最大電力が、第１のＣＣ送信電力と第１のＣＣのための計算された最大送信電力との間の比に等しいか、または実質的に等しい第２のＣＣのための送信電力の比例増加を仮定することによって計算される。別の例では、第３のＣＣが第２のＰＡによって送信されるので、第３のＣＣのための最大送信電力は第１および第２のＣＣの送信電力とは無関係に計算される。
【００３５】
[0046]  例の１つのセットでは、態様がＬｏｎｇ  Ｔｅｒｍ  Ｅｖｏｌｕｔｉｏｎ−Ａｄｖａｎｃｅｄ（ＬＴＥ／Ａ）システム内で使用され得る。ＬＴＥ／Ａは、ダウンリンク上では直交周波数分割多重（ＯＦＤＭ：orthogonal frequency division multiplexing）を利用し、アップリンク上ではシングルキャリア周波数分割多重（ＳＣ−ＦＤＭＡ：single-carrier frequency division multiplexing）を利用し得る。ＯＦＤＭおよびＳＣ−ＦＤＭＡは、システム帯域幅を、一般にトーン、ビンなどとも呼ばれる複数（Ｋ個）の直交サブキャリアに区分する。各サブキャリアはデータで変調され得る。一般に、変調シンボルは、ＯＦＤＭでは周波数領域で、ＳＣ−ＦＤＭＡでは時間領域で送信される。隣接するサブキャリア間の間隔は固定でもよく、サブキャリアの総数（Ｋ）はシステム帯域幅に依存し得る。たとえば、Ｋは、１．４、３、５、１０または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．４、３、５、１０または２０ＭＨｚの対応するシステム帯域幅に対してそれぞれ１つ、２つ、４つ、８つまたは１６個のサブバンドがあり得る。いくつかの例では、同じ周波数帯域内で送信されるコンポーネントキャリア（帯域内キャリアと呼ばれる）は、ユーザ機器１１０中の単一の電力増幅器を通して送信され、異なる周波数帯域中で送信されるコンポーネントキャリア（帯域間キャリアと呼ばれる）は、ユーザ機器１１０中の異なる電力増幅器を通して送信される。
【００３６】
[0047]  単一のＰＨＲは、ユーザ機器１１０によって利用される複数のＣＣに関する情報を搬送し得る。ＰＨＲは、たとえば、実際のＰＵＳＣＨおよび／またはＰＵＣＣＨ送信に関連する送信電力を考慮する電力ヘッドルームを含み得る単一のＰＤＵであり得る。ユーザ機器１１０は、基地局１０５によってトリガされたとき、または周期的に、基地局１０５にＰＨＲを送信し得る。ＰＨＲ中の電力ヘッドルーム値は、−２３ｄＢから４０ｄＢまで（１ｄＢのステップ）の報告範囲をもつ、単一の６ビットＰＤＵを含み得る。したがって、単一のＰＨＲは、２つ以上のＣＣに関する情報を基地局１０５に与え得、基地局１０５は、ＰＨＲをＣＣの各々に関する情報に分解し得る。基地局１０５は、この情報を使用して、将来のスケジューリング決定に影響を及ぼし得る。たとえば、基地局１０５は、特定のサブフレーム（たとえば、ｉ＋４）中でＡＣＫ／ＮＡＫが予想されることを知り得る。サブフレーム（ｉ）について報告された電力ヘッドルームと、ユーザ機器１１０がＡＣＫ／ＮＡＫのためにより多くの電力を割り振る必要があるという知識とがあるとすれば、基地局１０５は、ＰＨＲ中で利用可能な情報に基づいてサブフレーム（ｉ＋４）についてそれのアップリンク許可を変更し得る。したがって、第１の時間期間中のいくつかのＣＣのための電力ヘッドルームは、第２の時間期間中の同じまたは他のＣＣのうちの１つまたは複数に対する電力割振りを行うために使用され得る。
【００３７】
[0048]  図２は、基地局１０５−ａとユーザ機器１１０−ａとを含むシステム２００のブロック図である。このシステム２００は、図１のシステム１００であり得る。基地局１０５−ａは、アンテナ２３４−ａ〜２３４−ｘを装備し得、ユーザ機器１１０−ａは、アンテナ２５２−ａ〜２５２−ｎを装備し得る。基地局１０５−ａにおいて、送信プロセッサ２２０は、データソースからデータを受信し、プロセッサ２４０、メモリ２４２、および／または電力ヘッドルーム決定モジュール２４４から制御情報を受信し得る。制御情報は、ＰＵＣＣＨおよびＰＵＳＣＨに対する電力割振りの許可であり得、特定のユーザ機器１１０−ａのためのアップリンクＣＣ上での送信をスケジュールする。制御情報はまた、物理制御フォーマットインジケータチャネル（ＰＣＦＩＣＨ：physical control format indicator channel）、物理ＨＡＲＱインジケータチャネル（ＰＨＩＣＨ：physical HARQ indicator channel）、物理ダウンリンク制御チャネル（ＰＤＣＣＨ：physical downlink control channel）、物理ダウンリンク共有チャネル（ＰＤＳＣＨ：physical downlink shared channel）などのためのものであり得る。一例では、電力ヘッドルーム決定モジュール２４４は、特定のユーザ機器１１０−ａから受信した電力ヘッドルーム報告（ＰＨＲ）のタイプを決定し得る。ＰＨＲの第１のタイプは、単一の電力増幅器（ＰＡ）を通して並行して送信されるべき２つ以上のアップリンクＣＣに関連する第１の最大送信電力に基づく電力ヘッドルーム情報を含み得、ＰＨＲの第２のタイプは、単一のＰＡを通して送信される１つのＣＣに関連する最大送信電力に基づく電力ヘッドルーム情報を含み得る。電力ヘッドルーム決定モジュール２４４は、以下でより詳細に説明するように、ユーザ機器１１０−ａのためのＣＣの各々において利用可能な電力ヘッドルームを決定するために異なるタイプのＰＨＲを別様に解釈する。
【００３８】
[0049]  送信プロセッサ２２０は、データと制御情報とを処理（たとえば、符号化およびシンボルマッピング）して、それぞれデータシンボルと制御シンボルとを取得し得る。送信プロセッサ２２０はまた、基準シンボルとセル固有基準信号とを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、出力シンボルストリームを送信変調器２３２−ａ〜２３２−ｘに与え得る。各変調器２３２は、（たとえば、ＯＦＤＭなどの）それぞれの出力シンボルストリームを処理して出力サンプルストリームを取得し得る。各変調器２３２はさらに、出力サンプルストリームを処理（たとえば、アナログへの変換、増幅、フィルタ処理、およびアップコンバート）して、ダウンリンク信号を取得し得る。変調器２３２−ａ〜２３２−ｘからのダウンリンク信号は、それぞれアンテナ２３４−ａ〜２３４−ｘを介して送信され得る。
【００３９】
[0050]  ユーザ機器１１０−ａにおいて、ユーザ機器アンテナ２５２−ａ〜２５２−ｎは、基地局１０５−ａからダウンリンク信号を受信し得、受信信号をそれぞれ復調器２５４−ａ〜２５４−ｎに与え得る。各復調器２５４は、それぞれの受信信号を調整（たとえば、フィルタ処理、増幅、ダウンコンバート、およびデジタル化）して入力サンプルを取得し得る。各復調器２５４はさらに、（たとえば、ＯＦＤＭなどの）入力サンプルを処理して受信シンボルを取得し得る。ＭＩＭＯ検出器２５６は、すべての復調器２５４−ａ〜２５４−ｎから受信シンボルを取得し、適用可能な場合は受信シンボルに対してＭＩＭＯ検出を実行し、検出されたシンボルを与え得る。受信プロセッサ２５８は、検出されたシンボルを処理（たとえば、復調、デインターリーブ、および復号）して、データ出力にユーザ機器１１０−ａのための復号データを与え、プロセッサ２８０、メモリ２８２、電力ヘッドルーム計算モジュール２８４または電力ヘッドルーム報告モジュール２８６（たとえば、アップリンク上ではＰＵＳＣＨおよびＰＵＣＣＨ送信のための使用されるキャリアおよびタイミングを識別する処理割振り情報）に、復号された制御情報を与えることができる。
【００４０】
[0051]  アップリンク上では、ユーザ機器１１０−ａにおいて、送信プロセッサ２６４は、データソースから（たとえば、ＰＵＳＣＨのための）データを受信し、処理し得、プロセッサ２８０、電力ヘッドルーム計算モジュール２８４、および電力ヘッドルーム報告モジュール２８６から（たとえば、ＰＵＣＣＨのための）制御情報を受信し、処理し得る。送信プロセッサ２６４はまた、基準信号のための基準シンボルを生成し得る。送信プロセッサ２６４からのシンボルは、適用可能な場合はＴＸ  ＭＩＭＯプロセッサ２６６によってプリコードされ、さらに（たとえば、ＳＣ−ＦＤＭＡなどのために）復調器２５４−ａ〜２５４−ｎによって処理され、基地局１０５−ａに送信され得る。基地局１０５−ａにおいて、ユーザ機器１１０−ａからのアップリンク信号は、アンテナ２３４によって受信され、復調器２３２によって処理され、適用可能な場合はＭＩＭＯ検出器２３６によって検出され、さらに受信プロセッサ２３８によって処理されて、ユーザ機器１１０−ａによって送られた復号されたデータおよび制御情報が取得され得る。プロセッサ２３８は、復号されたデータをデータ出力に与え、復号された制御情報をプロセッサ２４０および／または電力ヘッドルーム決定モジュール２４４に与え得る。
【００４１】
[0052]  ユーザ機器１１０−ａの電力ヘッドルーム計算モジュール２８４は、各アップリンクＣＣに関連する送信電力を識別し得る。識別された送信電力は、ユーザ機器１１０−ａの他の構成情報とともに、ユーザ機器１１０−ａのための各ＣＣのために利用可能な電力ヘッドルームを計算するために使用され得る。ユーザ機器１１０−ａは、基地局１０５−ａにＰＨＲを制御情報として送信し得る。様々な例によれば、ユーザ機器１１０−ａは、３ＧＰＰ仕様のリリース１０に従ってＬＴＥ  Ａｄｖａｎｃｅｄ（ＬＴＥ−Ａ）システム中で動作し得、ＰCMAXと呼ばれるそれの構成済み最大総出力電力と、ＰCMAX,cと呼ばれる、所与のサービングセル上の構成済み最大出力電力とを設定することが可能である。これらの量の両方は、上位レイヤによって課された制限（ＰEMAX）、最大電力低減（ＭＰＲ：maximum power reduction）値、および追加最大電力低減（Ａ−ＭＰＲ：additional maximum power reduction）値などのいくつかの調整（高次変調の要件、送信帯域幅構成など）を反映する。一例では、ユーザ機器１１０−ａは、サービングセルｃ上のそれの構成済み最大出力電力ＰCMAX,cと、それの構成済み最大総出力電力ＰCMAXとを設定し得る。最大電力は、ユーザ機器１１０−ａが許容帯域外放射制限（allowed out-of-band emission limits）または隣接チャネル漏洩比（ＡＣＬＲ：adjacent channel leakage ratio）制限に達したときに到達される。
【００４２】
[0053]  様々な例によれば、ユーザ機器１１０−ａは、２３ｄＢｍに設定された最大電力出力を有する。マルチキャリア環境において、様々な例によるユーザ機器１１０−ａは、複数のコンポーネントキャリアの各コンポーネントキャリアの送信電力の増加を考慮に入れる各コンポーネントキャリアのための電力ヘッドルームを計算する。電力ヘッドルームは、ＣＣのための現在の送信電力とユーザ機器１１０−ａのための最大電力出力との間の差に基づいて各ＣＣについて計算され得る。ユーザ機器１１０−ａが複数のＣＣを並行して送信するように構成されるとき、注目するＣＣのための電力ヘッドルームを計算するときにＣＣのうちの他方の送信電力を考慮することが望ましいことがある。いくつかの例では、各ＣＣの送信電力の増加は、ＣＣの各々のための送信電力を比例的に増加させることによって考慮に入れられ得る。送信電力を比例的に増加させることはまた、たとえば、ＣＣの各々のための送信電力を、ｄＢ単位で測定される実質的に等しい量だけ増加させることを含み得る。送信電力を比例的に増加させることはまた、たとえば、ＣＣ間で実質的に同じ比率の送信電力を維持しながらＣＣの各々のための送信電力を増加させることを含み得る。いくつかの例では、ユーザ機器１１０−ａは、異なるコンポーネントキャリアを送信するために使用される電力増幅器（ＰＡ）の構成に依存する最大送信電力ＣＣを計算する。たとえば、ユーザ機器１１０−ａは、単一のＰＡを通して送信される複数のＣＣで構成され得、最大送信電力は、他のＣＣのための送信電力を比例的に増加させること（たとえば、ｄＢ単位の実質的に等しい量の増加）によって他のＣＣを考慮に入れて、各ＣＣについて計算される。別の例では、ユーザ機器１１０−ａは、特定のＰＡを通して送信される１つのＣＣを有し得、１つのＣＣのための最大送信電力は他のＰＡを通して送信される任意の他のＣＣとは無関係に計算される。
【００４３】
[0054]  一例では、図３Ａに示すシステム３００は、拡張ノードＢ（ｅＮＢ）１０５−ｂ（たとえば、基地局、アクセスポイントなど）と通信し得るユーザ機器１１０−ｂを含み得る。図３Ａには、ただ１つのユーザ機器１１０−ｂと１つのｅＮＢ１０５−ｂとを示しているが、システム３００は、任意の数のユーザ機器１１０−ｂおよび／またはｅＮＢ１０５−ｂを含むことができることを諒解されたい。ユーザ機器１１０−ｂは、より広い全送信帯域幅を可能にするためにｅノードＢ１０５−ｂによって利用される多重コンポーネントキャリアで構成され得る。図３Ａに示すように、ユーザ機器１１０−ｂは、複数のダウンリンクコンポーネントキャリア３０５および３１０、ならびに複数のアップリンクコンポーネントキャリア３１５および３２０で構成され得る。任意の所与の時点におけるユーザ機器１１０−ｂのために構成されるコンポーネントキャリア３０５〜３２０の数は変動し得る。図３Ａに２つのアップリンクコンポーネントキャリアと２つのダウンリンクコンポーネントキャリアとを示すが、ユーザ機器１１０−ｂは、任意の好適な数のコンポーネントキャリアで構成され得、したがって、本明細書および特許請求の範囲で開示する主題は図示の数のコンポーネントキャリアに限定されないことを諒解されたい。ユーザ機器１１０−ｂおよびｅＮＢ１０５−ｂは、時分割複信（ＴＤＤ：time division duplex）通信または周波数分割複信（ＦＤＤ：frequency division duplex）通信を使用して動作するように構成され得る。ＴＤＤを使用して動作するように構成されたとき、ダウンリンクＣＣと対応するアップリンクＣＣと（たとえば、ダウンリンクＣＣ１  ３０５とアップリンクＣＣ１  ３１５と）は同じ通信チャネル周波数を共有し得、一方、ＦＤＤ動作は異なる通信チャネルキャリア周波数を利用する。
【００４４】
[0055]  ユーザ機器１１０−ｂは、受信機モジュール３２５と、制御モジュール３３０と、送信機モジュール３３５とを含む。受信機モジュール３２５は、２つ以上のダウンリンクＣＣ３０５〜３１０上でダウンリンク送信を受信することができる。ダウンリンク送信とその中に含まれている情報とは、受信され、制御モジュール３３０において処理される。制御モジュール３３０は、以下でさらに詳細に説明するように、電力ヘッドルーム計算モジュールと電力ヘッドルーム報告モジュールとを含み得る。送信機モジュール３３５は、２つ以上のアップリンクＣＣ３１５〜３２０上でｅＮＢ１０５−ｂ（および／または他のｅＮＢ）に送信し得る。図３Ａの例では、送信機モジュール３３５は、複数のアップリンクＣＣ３１５〜３２０を送信するために使用され得る電力増幅器（ＰＡ）３４０を含む。一例では、ユーザ機器１１０−ｂは、たとえば、ＣＣの各々のための送信電力を（ｄＢ単位の）実質的に等しい量だけ増加させるなど、ＣＣの各々のための送信電力を比例的に増加させることによって各ＣＣを考慮に入れて、アップリンクＣＣ１  ３１５およびアップリンクＣＣ２  ３２０のための最大送信電力を計算する。
【００４５】
[0056]  たとえば、アップリンクＣＣ１  ３１５とアップリンクＣＣ２  ３２０とが、２０ｄＢｍのアップリンクＣＣ１  ３１５のための現在の送信電力と、１０ｄＢｍのアップリンクＣＣ２  ３１０のための現在の送信電力とで構成されると仮定する。さらに、本例では、ＭＰＲが０ｄＢであり、Ａ−ＭＰＲも０ｄＢであると仮定する。アップリンクＣＣ２  ３２０のためのＰCMAXを決定するとき、アップリンクＣＣ１  ３１５の、比例的に等しい電力量の増加が考慮に入れられる。ＭＰＲが０ｄＢであり、Ａ−ＭＰＲが０ｄＢであると仮定したので、アップリンクＣＣ１  ３１５の電力は約３ｄＢ、すなわち、ＰCMAX,CとアップリンクＣＣ１  ３１５のための現在の送信電力との間の差だけ増加され得る。この例では、アップリンクＣＣ２  ３２０のための最大送信電力が、アップリンクＣＣ１  ３１５の増加と（ｄＢ単位の）同じ量だけ比例的に増加されるように計算され、したがって、アップリンクＣＣ２  ３２０のための１３ｄＢｍの計算された最大送信電力を生じる。
【００４６】
[0057]  別の例では、ユーザ機器１１０−ｂが、任意のキャリア上でのそれの電力を２３ｄＢｍを越えて増加させることができず、それの合成電力を２３ｄＢｍを越えて増加させることもできないという仮定がなされる。上記の例では、アップリンクＣＣ１  ３１５上の最大電力は２３ｄＢｍとなり、アップリンクＣＣ２  ３２０上の最大電力は１３ｄＢｍとなり、２３．４ｄＢｍの合成合計を生じる。一例では、ユーザ機器１１０−ｂが、計算された最大電力でアップリンクＣＣ１  ３１５とアップリンクＣＣ２  ３２０とを送信するように命令された場合、ユーザ機器１１０−ｂが送信することになる実際の電力は、２３ｄＢｍの総電力を超えないように、アップリンクＣＣ１  ３１５上では２２．６ｄＢｍとなり、アップリンクＣＣ２  ３２０上では１２．６ｄＢｍとなることになる。一例では、ユーザ機器１１０−ｂは、各ＣＣのための送信電力を（ｄＢ単位の）同じ量だけ比例的に増加させる各ＣＣのための最大送信電力を与え、ユーザ機器１１０−ｂに対して許可される最大電力をも考慮し、電力の合計が許可された最大電力を超えないように計算された最大電力を比例的に低減する。上記の例を続けると、ユーザ機器１１０−ｂは、そのような場合、アップリンクＣＣ１  ３１５のための最大送信電力を２２．６ｄＢｍとして計算し、アップリンクＣＣ２  ３２０のための最大送信電力を１２．６ｄＢｍとして計算し、したがって、２３ｄＢｍの最大総電力に適合することになる。
【００４７】
[0058]  図３Ｂのシステムに示す例など、アップリンク送信のために２つ以上のＰＡが使用され得る。この例では、システム３５０は、拡張ノードＢ（ｅＮＢ）１０５−ｃ（たとえば、基地局、アクセスポイントなど）と通信し得るユーザ機器１１０−ｃを含み得る。システム３５０は、図３Ａのシステム３００に関して説明した方法と同様の方法で動作し得、システム３５０は、任意の数のユーザ機器１１０−ｃおよび／またはｅＮＢ１０５−ｃを含み得ることを諒解されたい。図３Ｂのユーザ機器１１０−ｃは、（１つまたは複数の）ダウンリンクＣＣ３５５、および複数のアップリンクＣＣ３６０〜３７０で構成され得る。所与の時点における（１つまたは複数の）ダウンリンクＣＣ３５５および（１つまたは複数の）アップリンクＣＣ３６０〜３７０の数は、特定のユーザ機器１１０−ｃへのリソース割振りに依存する。図３Ｂの例では、ユーザ機器１１０−ｃの送信機モジュール３３５−ａは、電力増幅器１  ３７５〜電力増幅器Ｍ  ３８０を含む複数のＰＡを含む。いくつかの例では、同じ周波数帯域内にあるコンポーネントキャリア（帯域内ＣＣと呼ばれる）を送信するために電力増幅器３７５などの単一のＰＡが使用され、異なる周波数帯域にあるＣＣ（帯域間ＣＣと呼ばれる）を送信するために異なるＰＡが使用される。
【００４８】
[0059]  帯域内コンポーネントキャリアと帯域間コンポーネントキャリアとの一例を図４に示す。この例では、システム４００は、周波数帯域Ａと周波数帯域Ｂとの２つのキャリア周波数帯域を含む。いくつかのコンポーネントキャリアは、帯域内ＣＣであり、どちらも周波数帯域Ａ内にある、アップリンクＣＣ１  ３６０−ａおよびアップリンクＣＣ２  ３６５−ａなどの異なる周波数帯域を使用して送信され得る。第３のコンポーネントキャリアであるアップリンクＣＣ−Ｎ３７０−ａは帯域間ＣＣであり、周波数帯域Ｂ内にある。図３Ｂの例では、アップリンクＣＣ  ３６０および３７０は電力増幅器３７５を通して送信され得、一方、アップリンクＣＣ−Ｎ３７０は電力増幅器Ｍ３８０を通して送信される。図３Ａ、図３Ｂ、および図４の図は例示的なものであり、特定の機器および動作条件に基づいて、異なる数のＰＡおよびＣＣをもつ多数の異なる構成が使用され得ることが理解されよう。一例では、ユーザ機器１１０−ｃは、同様に上記で説明したように、ＣＣの各々のための送信電力を比例的に増加させることによって各ＣＣを考慮に入れて、アップリンクＣＣ１  ３６０およびアップリンクＣＣ２  ３６５のための最大送信電力を計算し、他のアップリンクＣＣ  ３６０〜３６５の送信電力とは無関係にアップリンクＣＣ−Ｎ  ３７０のための最大送信電力を計算する。
【００４９】
[0060]  さらなる例として、図３Ａに関して上記で説明した電力割振りおよび計算を続けると、アップリンクＣＣ１  ３６０およびＣＣ２  ３６５が単一のＰＡ３７５を通して送信され、アップリンクＣＣ１  ３６０のための現在の送信電力が２０ｄＢｍであり、アップリンクＣＣ２  ３６５のための現在の送信電力が１０ｄＢｍであり、ＭＰＲが０ｄＢであり、Ａ−ＭＰＲも０ｄＢであると仮定する。各アップリンクＣＣ３６０、３６５のための最大送信電力の計算は、上記で説明したように実行され得、その計算では、各ＣＣのための比例的に等しい電力量の増加が考慮に入れられる。アップリンクＣＣ−Ｎ３７０のための最大送信電力の計算は、アップリンクＣＣ３６０および３６５の計算された最大送信電力とは無関係に決定され得る。そのような構成は、アップリンクＣＣ３６０、３６５が帯域内であり、ＣＣ−Ｎが帯域間である状況において使用され得る。ＣＣ−Ｎ３７０を送信するために別個のＰＡ３８０が使用され得、ＣＣ−Ｎのための最大送信電力は、他のＰＡを通して送信されるＣＣのいかなる最大電力計算とも無関係に計算される。たとえば、ＣＣ−Ｎのための現在の送信電力が１８ｄＢｍであり、ＭＰＲとＡ−ＭＰＲとが０ｄＢである場合、ＣＣ−Ｎのための最大送信電力は２３ｄＢｍになるように計算され、５ｄＢｍのＣＣ−Ｎのための電力ヘッドルームが残る。
【００５０】
[0061]  他の例では、図４の周波数帯域Ａと周波数帯域Ｂの両方は各々２つ以上のＣＣを有し得、その場合、各周波数帯域中の帯域内ＣＣのための最大送信電力は、同じ周波数帯域中の他のＣＣの送信電力の増加を考慮に入れることによって計算される。同様に、複数のＣＣはそれぞれ帯域間ＣＣであり、それぞれ別個のＰＡを通して送信され得、その場合、各ＣＣのための最大送信電力は、並行して送信されるＣＣのうちの他方のための電力とは無関係に計算され得る。ユーザ機器１１０−ｃは、ＰＨＲが単一のＰＡを通して送信されるＣＣに基づくかどうかを示す指示を送信し得る（したがって、そのＰＡを通して送信される他のＣＣのための電力の増加を考慮し得る）。代替的に、ｅＮＢ１０５−ｃは、帯域内ＣＣが単一のＰＡを通して送信され、したがって、帯域内ＣＣのためのＰＨＲがＰＡを通して送信される他のＣＣのための電力の増加を考慮すると仮定し得る。
【００５１】
[0062]  次に図５を参照すると、複数のコンポーネントキャリアのためのＰＨＲを送信する例示的なワイヤレス通信システム５００が示されている。システム６００は、上記で説明したのと同様に、基地局１０５−ｄと、ワイヤレスネットワークへのアクセスを受信するために基地局１０５−ｄと通信することができるユーザ機器１１０−ｄとを含む。ユーザ機器１１０−ｄは、（１つまたは複数の）受信機モジュール３２５−ｂと（１つまたは複数の）送信機モジュール３３５−ｂとに通信可能に結合された１つまたは複数のアンテナ５０５を含み、それらのモジュールは制御モジュール３３０−ｂに通信可能に結合される。制御モジュール３３０−ｂは、１つまたは複数のプロセッサモジュール５２５と、プロセッサモジュール５２５が実行するためのソフトウェア５３５を含んでいるメモリ５３０と、電力ヘッドルーム計算モジュール５４０と、電力ヘッドルーム報告モジュール５４５とを含む。
【００５２】
[0063]  プロセッサモジュール５２５、電力ヘッドルーム計算モジュール５４０、および／または電力ヘッドルーム報告モジュール５４５は、たとえば、Ｉｎｔｅｌ（登録商標）Ｃｏｒｐｏｒａｔｉｏｎ社製またはＡＭＤ（登録商標）社製のものなどの中央処理ユニット（ＣＰＵ）、マイクロコントローラ、特定用途向け集積回路（ＡＳＩＣ）など、１つまたは複数のインテリジェントハードウェアデバイスを含み得る。メモリ５３０は、ランダムアクセスメモリ（ＲＡＭ）と読取り専用メモリ（ＲＯＭ）とを含み得る。メモリ５３０は、実行されると（またはコンパイルされ実行されると）プロセッサモジュール５２５に本明細書で説明する様々な機能（たとえば、最大送信電力計算、電力ヘッドルーム計算、ＰＨＲ生成、ＰＨＲ送信など）を実行させるように構成された命令を含んでいるコンピュータ可読、コンピュータ実行可能ソフトウェアコード５３５を記憶し得る。制御モジュール３３０−ｂの構成要素は、個別にまたは集合的に、ハードウェア中の適用可能な機能の一部または全部を実行するように適応された１つまたは複数の特定用途向け集積回路（ＡＳＩＣ）を用いて実装され得る。
【００５３】
[0064]  （１つまたは複数の）送信機モジュール３３５−ｂは、上記で説明したように、１つまたは複数のアップリンクＣＣ上で基地局１０５−ｄ（および／または他の基地局）に送信し得る。さらに、（１つまたは複数の）送信機モジュール３３５−ｂはいくつかの電力増幅器を含み得る。いくつかの例では、複数の帯域内ＣＣを送信するために１つの電力増幅器が使用され得るが、帯域間ＣＣは異なる電力増幅器で送信される。（１つまたは複数の）受信機モジュール３２５−ｂは、上記で説明したように、２つ以上のダウンリンクＣＣ上で基地局１０５−ｄ（および／または他の基地局）からのダウンリンク送信を受信することができる。
【００５４】
[0065]  ダウンリンク送信は、ユーザ機器１１０−ｄにおいて受信され、処理される。（図２の電力ヘッドルーム計算モジュール２８４の一例であり得る）電力ヘッドルーム計算モジュール５４０は、電力ヘッドルーム計算モジュール２８４について上記で説明したように、各ＣＣのための最大送信電力の計算を行い得る。より詳細には、電力ヘッドルーム計算モジュール５４０は、各アップリンクＣＣに関連する送信電力とユーザ機器１１０−ｄの他の構成情報とを識別し、ユーザ機器１１０−ｄのための各ＣＣのために利用可能な電力ヘッドルームを計算し得る。前述のように、様々な例によれば、ユーザ機器１１０−ｄは、３ＧＰＰ仕様のリリース１０に従ってＬＴＥ  Ａｄｖａｎｃｅｄ（ＬＴＥ−Ａ）システム中で動作し得、各々が、上位レイヤによって課された制限（ＰEMAX）、ＭＰＲ値、およびＡ−ＭＰＲ値などのいくつかの調整（高次変調の要件、送信帯域幅構成など）を反映する、それのＰCMAXとＰCMAX,cとを設定することが可能である。一例では、ユーザ機器１１０−ｄは、サービングセルｃ上のそれの構成済み最大出力電力ＰCMAX,cをそれの構成済み最大総出力電力ＰCMAXとして設定し得る。最大電力は、ユーザ機器１１０−ｄが許容帯域外放射制限または隣接チャネル漏洩比（ＡＣＬＲ）制限に達したときに到達される。
【００５５】
[0066]  様々な例によれば、ユーザ機器１１０−ｄは、２３ｄＢｍに設定された最大電力出力を有し得る。電力ヘッドルームは、ＣＣのための現在の送信電力とユーザ機器１１０−ｄのための最大電力出力との間の差に基づいて各ＣＣについて計算され得る。いくつかの例では、各ＣＣの送信電力の増加は、ＣＣの各々のための送信電力を比例的に増加させることによって（たとえば、送信電力をｄＢ単位の実質的に等しい量だけ増加させることによって）考慮に入れられ得る。いくつかの例では、ユーザ機器１１０−ｄは、アップリンクＣＣのセットを送信するように構成され得、第１のＣＣと１つまたは複数の他のＣＣとがコンポーネントキャリアのサブセットを形成する。他のＣＣのための送信電力を比例的に増加させることによって他のＣＣを考慮に入れる、最大送信電力の増加が各ＣＣについて計算される。送信電力を比例的に増加させることは、たとえば、ＣＣのサブセットの各々のための送信電力を、ｄＢ単位で測定される実質的に等しい量だけ増加させることを含み得る。いくつかの例では、電力ヘッドルーム計算モジュール５４０は、上記で説明したのと同様に、異なるコンポーネントキャリアを送信するために使用される電力増幅器（ＰＡ）の構成に依存する各ＣＣのための最大送信電力を計算する。たとえば、第１のＣＣと第２のＣＣとは、２０ｄＢｍの第１のＣＣのための現在の送信電力と、１０ｄＢｍの第２のＣＣのための現在の送信電力とで構成され得る。さらに、本例では、ＭＰＲが０ｄＢであり、Ａ−ＭＰＲも０ｄＢであると仮定する。第２のＣＣのためのＰCMAXを決定するとき、電力ヘッドルーム計算モジュール５４０は第１のＣＣの、比例的に等しい電力量の増加を考慮に入れる。ＭＰＲが０ｄＢであり、Ａ−ＭＰＲが０ｄＢであると仮定したので、第１のＣＣの電力は約３ｄＢ、すなわち、ＰCMAX,cと第１のＣＣのための現在の送信電力との間の差だけ増加され得る。この例では、第２のＣＣのための最大送信電力が、第１のＣＣの増加と（ｄＢ単位の）同じ量だけ比例的に増加されるように計算され、したがって、第２のＣＣのための１３ｄＢｍの計算された最大送信電力を生じる。別の例では、電力ヘッドルーム計算モジュール５４０は、各ＣＣのための送信電力を（ｄＢ単位の）同じ量だけ比例的に増加させる各ＣＣのための最大送信電力を計算し、ユーザ機器１１０−ｄに対して許可される最大電力をも考慮し、電力の合計が許可された最大電力を超えないように計算された最大電力を比例的に低減する。上記の例を続けると、電力ヘッドルーム計算モジュール５４０は、そのような場合、第１のＣＣのための最大送信電力を２２．６ｄＢｍとして計算し、第２のＣＣのための最大送信電力を１２．６ｄＢｍとして計算し、したがって、２３ｄＢｍの最大総電力に適合することになる。
【００５６】
[0067]  別の例では、ユーザ機器１１０−ａは、１つまたは複数のＣＣの第２のサブセットを有し得、第１のサブセット中の１つまたは複数のＣＣのための最大送信電力は、ＣＣの第２の（または他の）サブセット中の（１つまたは複数の）ＣＣの送信電力とは無関係に計算される。いくつかの例では、ＣＣの第１のサブセットは、特定のＰＡを通して送信される２つ以上の帯域内ＣＣを含み得、ＣＣの第２のサブセットは、異なるＰＡを使用して送信される１つまたは複数の帯域間ＣＣを含み得る。電力ヘッドルーム計算モジュール５４０は、第１のサブセット中のＣＣのいかなる最大電力計算とも無関係に第２のサブセット中のＣＣのための最大送信電力を計算し得る。電力ヘッドルーム計算モジュール５４０は、最大送信電力を計算するための手段および／または１つまたは複数のＣＣのために利用可能な電力ヘッドルームを識別するための手段など、ユーザ機器１０５−ｄの動作に関係する１つまたは複数の機能を実行するための手段であり得る。さらに、コンピュータ実行可能ソフトウェアコード５３５は、実行されると（またはコンパイルされ実行されると）プロセッサモジュール５２５に電力ヘッドルーム計算モジュール５４０の様々な機能を実行させるように構成された命令を含み得る。
【００５７】
[0068]  電力ヘッドルーム報告モジュール５４５は、コンポーネントキャリアのうちの１つまたは複数のための計算された電力ヘッドルームを受信し、電力ヘッドルーム情報を含むＰＨＲを生成し得る。いくつかの例では、電力ヘッドルーム報告モジュール５４５は、他のＣＣのための送信電力を比例的に増加させることによって他のＣＣを考慮に入れる各ＣＣについて計算される最大送信電力の増加を考慮に入れる第１のＣＣのために利用可能な電力ヘッドルームを備える電力ヘッドルーム報告（ＰＨＲ）の第１のタイプを生成するように構成される。送信電力を比例的に増加させることは、たとえば、各ＣＣのための送信電力を、ｄＢ単位で測定される実質的に等しい量だけ増加させることを含み得る。電力ヘッドルーム報告モジュール５４５はまた、電力送信ＣＣの第２のタイプを生成し得る。いくつかの例では、電力ヘッドルーム報告モジュール５４５は、２つ以上のＣＣが第１の周波数帯域中で送信される（帯域内ＣＣである）とき、ＰＨＲの第１のタイプを生成し、２つ以上のＣＣが異なる周波数帯域中で送信される（帯域間ＣＣである）とき、ＰＨＲの第２のタイプを生成する。電力ヘッドルーム報告モジュール５４５は、いくつかの例では、ＰＨＲがＰＨＲの第１のタイプおよび／または第２のタイプのうちの１つまたは複数を含むことを示す信号を与え得る。他の例では、ＰＨＲのタイプの決定は、構成済みＣＣが帯域内ＣＣおよび／または帯域間ＣＣを含むかどうかに基づく。電力ヘッドルーム報告モジュール５４５は、１つまたは複数のＣＣのために利用可能な電力ヘッドルームを備えるＰＨＲの第１のタイプおよび／または第２のタイプを生成するための手段など、ユーザ機器１０５−ｄの動作に関係する１つまたは複数の機能を実行するための手段であり得る。さらに、コンピュータ実行可能ソフトウェアコード５３５は、実行されると（またはコンパイルされ実行されると）プロセッサモジュール５２５に電力ヘッドルーム報告モジュール５４５の様々な機能を実行させるように構成された命令を含み得る。
【００５８】
[0069]  次に図６を参照すると、複数のコンポーネントキャリアのためのＰＨＲを送信する例示的なワイヤレス通信システム６００が示されている。システム６００は、説明したように、基地局１０５−ｅと、ワイヤレスネットワークへのアクセスを受信するために基地局１０５−ｅと通信し得るユーザ機器１１０−ｅとを含む。さらに、ユーザ機器１１０−ｅは、複数のダウンリンクＣＣ上で通信を受信し、複数のアップリンクＣＣ上で通信を送信し得、アップリンクＣＣのためのＰＨＲは、本明細書で説明する様々な技法のうちの１つまたは複数に従って基地局１０５−ｅに送信されるべきである。
【００５９】
[0070]  基地局１０５−ｅは、（１つまたは複数の）トランシーバモジュール６１０に通信可能に結合された１つまたは複数のアンテナ６０５を含む。ネットワークインターフェース６１５は、ワイヤレス通信システム６００に関連する１つまたは複数のネットワークとのインターフェースを与え得る。基地局１０５−ｅは、スケジューラ６３０を含む１つまたは複数のプロセッサモジュール６２５と、ソフトウェア６４０を含むメモリ６３５と、受信機モジュール６４５と、電力ヘッドルーム決定モジュール６５０とを含んでいる制御モジュール６２０を含む。スケジューラ６３０は、１つまたは複数のプロセッサモジュール６２５中に含まれ得、（１つまたは複数の）プロセッサモジュール６２５の影響下の構成済みキャリアのサブセットについてユーザ機器１１０−ｅをスケジュールし得る。メモリ６３５は、ランダムアクセスメモリ（ＲＡＭ）と読取り専用メモリ（ＲＯＭ）とを含み得る。メモリ６３５は、実行されると（またはコンパイルされ実行されると）プロセッサモジュール６２５に本明細書で説明する様々な機能（たとえば、ＰＨＲ通信を受信すること、ＰＨＲの１つまたは複数のタイプのうちのどちらがＰＨＲ通信中に含まれるかを決定すること、最大ＣＣ送信電力を決定することなど）を実行させるように構成された命令を含んでいるコンピュータ可読、コンピュータ実行可能ソフトウェアコード６４０を記憶し得る。制御モジュール６２０の構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、基地局１０５−ｄの動作に関係する１つまたは複数の機能を実行ための手段であり得る。
【００６０】
[0071]  受信機モジュール６４５は、上記で説明したように、ＰＨＲの第１のタイプとＰＨＲの第２のタイプとのうちの１つまたは複数を備える電力ヘッドルーム報告（ＰＨＲ：power headroom report）通信を受信し得る。たとえば、受信機モジュール６４５は、２つ以上のＣＣのための電力ヘッドルームが単一の電力増幅器を通して並行して送信されるべき２つ以上のアップリンクコンポーネントキャリアのための送信電力の比例増加に基づくＰＨＲの第１のタイプを受信し得る。上記で説明したように、各ＣＣのための最大送信電力は、実質的に等しい各ＣＣにわたる送信電力の増加を考慮に入れることによって計算され得る。受信機モジュール６４５はまた、１つのＣＣのための電力ヘッドルームが他の電力増幅器を使用して送信され得る他のＣＣとは無関係に単一の電力増幅器を通して送信されるＰＨＲの第２のタイプを受信し得る。電力ヘッドルーム決定モジュール６５０は、ＰＨＲの第１のタイプおよび／または第２のタイプのうちのどちらがＰＨＲ通信中に含まれるかを決定し得る。受信機モジュール６４５は、ＰＨＲの第１のタイプとＰＨＲの第２のタイプとのうちの１つまたは複数を備える電力ヘッドルーム報告（ＰＨＲ）通信を受信するための手段、および／またはＰＨＲの第１のタイプと第２のタイプとのうちの１つまたは複数のうちのどちらがＰＨＲ通信中に含まれるかを決定するための手段など、基地局１０５−ｄの動作に関係する１つまたは複数の機能を実行するための手段であり得る。さらに、コンピュータ実行可能ソフトウェアコード６４０は、実行されると（またはコンパイルされ実行されると）プロセッサモジュール６２５に受信機モジュール６４５の様々な機能を実行させるように構成された命令を含み得る。一例では、受信機モジュール６４５はまた、電力ヘッドルーム決定モジュール６５０に与えられる、ＰＨＲのどの（１つまたは複数の）タイプが存在するかを示す信号を受信する。別の例では、電力ヘッドルーム決定モジュール６５０は、受信したＣＣが帯域内ＣＣであるか、帯域間ＣＣであるかを決定することによってＰＨＲのどのタイプが存在するかを決定する。２つ以上のＣＣが同じ周波数帯域中で送信される（帯域内ＣＣである）場合、電力ヘッドルーム決定モジュール６５０は、第１のタイプのＰＨＲが存在すると決定し、いずれかの１つのＣＣが他のＣＣとは異なる周波数帯域上で送信される場合、電力ヘッドルーム決定モジュール６５０は、第２のタイプのＰＨＲが存在すると決定する。電力ヘッドルーム決定モジュール６５０はまた、受信したＰＨＲ通信と、ＰＨＲ通信中に含まれるＰＨＲの１つまたは複数のタイプとに基づいて、送信されるべき１つまたは複数のアップリンクコンポーネントキャリアのための最大送信電力を決定し得る。電力ヘッドルーム決定モジュール６５０は、１つまたは複数の並行して送信されるべきアップリンクＣＣのための最大送信電力を決定するための手段など、基地局１０５−ｅの動作に関係する１つまたは複数の機能を実行するための手段であり得る。さらに、コンピュータ実行可能ソフトウェアコード６４０は、実行されると（またはコンパイルされ実行されると）プロセッサモジュール６２５に電力ヘッドルーム決定モジュール６５���の様々な機能を実行させるように構成された命令を含み得る。
【００６１】
[0072]  図７に、複数のダウンリンクコンポーネントキャリア上で利用可能な電力ヘッドルームを含むＰＨＲ通信を決定し、送信するためにユーザ機器によって行われ得る方法７００を示す。方法７００は、たとえば、図１、図２、図３Ａ、図３Ｂ、または図５のユーザ機器によって、またはこれらの図について説明したデバイスの任意の組合せを使用して実行され得る。最初に、ブロック７０５において、モバイルデバイスによって並行して送信されるべきアップリンクコンポーネントキャリアのセットを決定する。ブロック７１０において、ＣＣのサブセットの第１のＣＣに関連する最大送信電力を計算し、その計算は、ＣＣのサブセット中の各コンポーネントキャリアの送信電力の増加を考慮する。これは、ＣＣの第１のサブセットの各々のための送信電力を比例的に増加させることを含むことができる。送信電力を比例的に増加させることは、たとえば、コンポーネントキャリアの第１のサブセットの各々のための送信電力を、ｄＢ単位で測定される実質的に等しい量だけ増加させることを含み得る。一例では、上記で説明したように、ＣＣ１とＣＣ２とは、２０ｄＢｍのＣＣ１のための現在の送信電力と、１０ｄＢｍのＣＣ２のための現在の送信電力とで並行して送信され得る。さらに、ＭＰＲとＡ−ＭＰＲとは０ｄＢであり得る。ＣＣ２のための最大送信電力を決定するとき、ＣＣ１の、比例的に等しい電力量の増加が考慮に入れられる。ＭＰＲが０ｄＢであり、Ａ−ＭＰＲが０ｄＢであるので、ＣＣ１の電力は約３ｄＢ、すなわち、最大送信電力とＣＣ１のための現在の送信電力との間の差だけ増加されるように計算される。この例では、ＣＣ２のための最大送信電力が、ＣＣ１の増加と（ｄＢ単位で）同じ量だけ比例的に増加されるように計算され、したがって、ＣＣ２のための１３ｄＢｍの計算された最大送信電力を生じる。ブロック７１５において、最大送信電力を計算することの結果に基づいて第１のＣＣのために利用可能な電力ヘッドルームを識別する。たとえば、電力ヘッドルームは、ＣＣのための計算された最大送信電力から現在の送信電力を減算することによって計算され得る。ブロック７２０において、ＰＨＲの第１のタイプを生成し、そのＰＨＲは、第１のコンポーネントキャリアのために利用可能な電力ヘッドルームを備える。最後に、ブロック７２５において、ＰＨＲの第１のタイプを含むＰＨＲ通信を送信する。
【００６２】
[0073]  次に図８を参照すると、複数のダウンリンクコンポーネントキャリア上で利用可能な電力ヘッドルームを含むＰＨＲ通信を決定し、送信するためにユーザによって行われ得る別の方法８００が与えられている。方法８００は、たとえば、図１、図２、図３Ａ、図３Ｂ、または図５のユーザ機器によって、またはこれらの図について説明したデバイスの任意の組合せを使用して実行され得る。ブロック８０５〜８２０は、図７のブロック７０２〜７２０に関して説明したステップと同じステップを含む。図８の方法８００は、ブロック８２５において述べたように、アップリンクコンポーネントキャリアの第２のサブセットの第２のＣＣに関連する第２の最大送信電力を計算することをさらに含み、その計算は、他の並行して送信されるＣＣとは無関係に第２のＣＣ上で利用可能な電力ヘッドルームを考慮する。ブロック８３０によれば、第２の最大送信電力を計算することの結果に基づいて第２のＣＣのために利用可能な電力ヘッドルームを識別する。ブロック８３５において、ＰＨＲの第２のタイプを生成し、ＰＨＲの第２のタイプは、第２のＣＣのために利用可能な電力ヘッドルームを備える。最後に、ブロック８４０において、ＰＨＲの第１のタイプと第２のタイプとを含むＰＨＲ通信を送信する。
【００６３】
[0074]  次に図９を参照すると、複数のアップリンクＣＣのためのＰＨＲ通信を送信するためにユーザ機器によって行われ得る方法９００が与えられている。方法９００は、たとえば、図１、図２、図３Ａ、図３Ｂ、または図５のユーザ機器によって、またはこれらの図について説明したデバイスの任意の組合せを使用して実行され得る。最初に、ブロック９０５において、並行して送信されるべき各ＣＣのための、モバイルデバイスにおいて利用可能な電力ヘッドルームを識別する。前述のように、そのような電力ヘッドルームは、ユーザ機器のための最大送信電力とそれぞれのＣＣのための現在の送信電力とに従って識別され得る。ブロック９１０において示すように、ＣＣのうちの２つ以上を送信するために１つの電力増幅器（ＰＡ）が使用されるべきであるとき、ＰＨＲの第１のタイプが生成されるべきと決定し、ＣＣのうちの１つを送信するために１つのＰＡが使用されるべきであるとき、ＰＨＲの第２のタイプが生成されるべきと決定する。ブロック９１５において示すように、ＰＨＲの１つまたは複数のタイプに基づいてアップリンクＣＣのうちの１つまたは複数のための最大送信電力を計算する。上記で説明したように、最大送信電力は、たとえば、単一のＰＡを通して並行して送信されるＣＣの数と、ＰＡを通して送信されるＣＣの送信電力の比例増加を考慮することとに基づいて計算され得る。ブロック９２０において、決定することに基づいて、ＰＨＲの第１のタイプと第２のタイプとのうちの１つまたは複数を含むＰＨＲ通信を生成し、１つまたは複数のＰＨＲは、計算された最大送信電力に基づく。最後に、ブロック９２５において、ＰＨＲ通信を送信する。
【００６４】
[0075]  図１０に、ユーザ機器からの２つ以上の並行して送信されるＣＣにおいて利用可能な電力ヘッドルームを決定するために基地局によって行われ得る方法１０００を示す。方法１０００は、たとえば、図１、図２、図３Ａ、図３Ｂ、または図６の基地局によって、またはこれらの図について説明したデバイスの任意の組合せを使用して実行され得る。最初に、ブロック１００５において、ＰＨＲの第１のタイプとＰＨＲの第２のタイプとのうちの１つまたは複数を備えるＰＨＲ通信を受信し、ＰＨＲの第１のタイプは、単一のＰＡを通して並行して送信されるべき２つ以上のアップリンクＣＣに関連する第１の最大送信電力に基づく第１の電力ヘッドルーム情報を備え、ＰＨＲの第２のタイプは、単一のＰＡを通して送信される１つのＣＣに関連する第２の最大送信電力に基づく第２の電力ヘッドルーム情報を備える。ブロック１０１０において、ＰＨＲの（１つまたは複数の）第１のタイプおよび第２のタイプのうちのいずれかがＰＨＲ通信中に含まれるかを決定する。上記で説明したように、決定は、ユーザ機器からの通信に基づいて行われ得るか、または関連するＣＣの周波数帯域に基づいて行われ得る。ブロック１０１５において示すように、受信したＰＨＲ通信とＰＨＲ通信中に含まれるＰＨＲの（１つまたは複数の）タイプとに基づいて１つまたは複数の並行して送信されるアップリンクＣＣのための最大送信電力を決定する。
【００６５】
[0076]  図１１に、ユーザ機器からの２つ以上の並行して送信されるＣＣにおいて利用可能な電力ヘッドルームを決定するために基地局によって行われ得る別の方法１１００を示す。方法１１００は、たとえば、図１、図２、図３Ａ、図３Ｂ、または図６の基地局によって、またはこれらの図について説明したデバイスの任意の組合せを使用して実行され得る。最初に、ブロック１１０５において、ＰＨＲの第１のタイプとＰＨＲの第２のタイプとのうちの１つまたは複数を備えるＰＨＲ通信を受信し、ＰＨＲの第１のタイプは、単一のＰＡを通して並行して送信されるべき２つ以上のアップリンクＣＣに関連する第１の最大送信電力に基づく第１の電力ヘッドルーム情報を備え、ＰＨＲの第２のタイプは、単一のＰＡを通して送信される１つのＣＣに関連する第２の最大送信電力に基づく第２の電力ヘッドルーム情報を備える。ブロック１１１０において、アップリンクＣＣが同じ周波数帯域中にあるとき、ＰＨＲ通信がＰＨＲの第１のタイプを含むと決定する。上記で説明したように、２つ以上のＣＣが同じ周波数帯域中で送信されるとき、ＣＣを並行して送信するために単一の電力増幅器が使用され得る。ブロック１１１５において示すように、第１の最大送信電力がアップリンクＣＣの各々のための送信電力を比例的に増加させることによって計算されることを考慮することによって、アップリンクＣＣのための最大送信電力を決定する。送信電力を比例的に増加させることは、たとえば、アップリンクＣＣの各々のための送信電力を、ｄＢ単位で測定される実質的に等しい量だけ増加させることを含み得る。
【００６６】
[0077]  本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明する技法は、上記のシステムおよび無線技術、ならびに他のシステムおよび無線技術に使用され得る。ただし、以下の説明では例としてＬＴＥシステムについて説明し、以下の説明の大部分でＬＴＥ用語を使用するが、本技法は、ＬＴＥ適用例以外に適用可能である。
【００６７】
[0078]  添付の図面に関して上記に記載した発明を実施するための形態は、例示的な実施形態について説明したものであり、実装され得る、または特許請求の範囲内に入る唯一の実施形態を表すものではない。この説明全体にわたって使用する「例示的」という用語は、「例、事例、または例示の働きをすること」を意味し、「他の実施形態よりも好ましいこと」または「有利であること」を意味するものではない。発明を実施するための形態は、説明した技法の理解を与えるための具体的な詳細を含む。ただし、これらの技法はこれらの具体的な詳細なしに実施され得る。場合によっては、説明した実施形態の概念を不明瞭にしないように、よく知られている構造およびデバイスをブロック図の形式で示す。
【００６８】
[0079]  情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６９】
[0080]  本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００７０】
[0081]  本明細書で説明する機能は、ハードウェア、プロセッサによって実行されるソフトウェア、ファームウェア、またはそれらの組合せで実装され得る。プロセッサによって実行されるソフトウェアで実装した場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣ、またはＡＢまたはＡＣまたはＢＣまたはＡＢＣ（すなわち、ＡおよびＢおよびＣ）を意味するような選言的列挙を示す。
【００７１】
[0082]  コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスできる任意の利用可能な媒体であり得る。限定ではなく例として、コンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、あるいは命令またはデータ構造の形態の所望のプログラムコード手段を搬送または記憶するために使用でき、汎用または専用コンピュータあるいは汎用または専用プロセッサによってアクセスできる、任意の他の媒体を備え得る。同様に、いかなる接続も適切にコンピュータ可読媒体と称される。たとえば、ソフトウェアが、同軸ケーブル、光ファイバケーブル、ツイストペア、またはデジタル加入者回線（ＤＳＬ）などのワイヤレス技術を使用して、ウェブサイト、サーバ、または他のリモートソースから送信される場合、同軸ケーブル、光ファイバケーブル、ツイストペア、またはＤＳＬなどのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【００７２】
[0083]  本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、例または事例を示すものであり、言及した例についての選好を暗示するものでも、必要とするものでもない。したがって、本開示は、本明細書で説明する例および設計に限定されなく、本明細書で開示する原理および新規の特徴に合致する最も広い範囲を与えられるべきである。
以下に本件出願当初の特許請求の範囲を付記する。
［Ｃ１］
モバイルデバイスによって並行して送信されるべきアップリンクコンポーネントキャリアのセットを決定することと、
前記セット中の第１のコンポーネントキャリアに関連する最大送信電力を計算することであって、前記計算が、アップリンクコンポーネントキャリアの第１のサブセットの各々のための送信電力を比例的に増加させることによって、前記第１のコンポーネントキャリアを含む前記アップリンクコンポーネントキャリアの少なくとも前記第１のサブセット中の各コンポーネントキャリアの送信電力の増加を考慮する、計算することと、
前記最大送信電力を計算することの結果に基づいて前記第１のコンポーネントキャリアのために利用可能な電力ヘッドルームを識別することと、
前記第１のコンポーネントキャリアのために利用可能な前記電力ヘッドルームを備える電力ヘッドルーム報告（ＰＨＲ）の第１のタイプを生成することと、
ＰＨＲの前記第１のタイプを含むＰＨＲ通信を送信することと
を備える、マルチキャリアシステムにおけるワイヤレス通信の方法。
［Ｃ２］
送信電力を比例的に増加させることが、アップリンクコンポーネントキャリアの前記第１のサブセットの各々のための送信電力を、ｄＢ単位で測定される実質的に等しい量だけ増加させることを備える、［Ｃ１］に記載の方法。
［Ｃ３］
アップリンクコンポーネントキャリアの前記サブセットの各々が、同じ電力増幅器を介して並行して送信されるべきである、［Ｃ１］に記載の方法。
［Ｃ４］
前記アップリンクコンポーネントキャリアの第２のサブセットの第２のコンポーネントキャリアに関連する第２の最大送信電力を計算することであって、前記計算が、他の並行して送信されるアップリンクコンポーネントキャリアとは無関係に前記第２のアップリンクコンポーネントキャリア上で利用可能な前記電力ヘッドルームを考慮する、計算することと、
前記第２の最大送信電力を計算することの結果に基づいて前記第２のコンポーネントキャリアのために利用可能な電力ヘッドルームを識別することと、
前記第２のコンポーネントキャリアのために利用可能な前記電力ヘッドルームを備える電力ヘッドルーム報告（ＰＨＲ）の第２のタイプを生成することと、
ＰＨＲの前記第２のタイプを含む前記ＰＨＲ通信を送信することと
をさらに備える、［Ｃ１］に記載の方法。
［Ｃ５］
ＰＨＲの前記第１のタイプと前記第２のタイプとのうちのどちらが前記ＰＨＲ通信中に含まれるかを示す信号を送信すること
をさらに備える、［Ｃ４］に記載の方法。
［Ｃ６］
アップリンクコンポーネントキャリアの前記第１のサブセットの各々が第１の周波数帯域中で送信され、前記第２のアップリンクコンポーネントキャリアが、前記第１の周波数帯域とは異なる第２の周波数帯域中で送信される、［Ｃ４］に記載の方法。
［Ｃ７］
各アップリンクコンポーネントキャリアを送信する電力増幅器が、前記アップリンクコンポーネントキャリアの前記周波数帯域に基づいて決定される、［Ｃ６］に記載の方法。
［Ｃ８］
コンポーネントキャリアの前記第２のサブセットが単一のアップリンクコンポーネントキャリアを含み、コンポーネントキャリアの前記第１のサブセットが２つのアップリンクコンポーネントキャリアを含む、［Ｃ４］に記載の方法。
［Ｃ９］
コンポーネントキャリアの第１のサブセットが前記第１のコンポーネントキャリアと第３のコンポーネントキャリアとを含み、前記ＰＨＲ通信が、前記第１のコンポーネントキャリアのための前記計算された最大送信電力に基づく前記第３のコンポーネントキャリアに対応する利用可能な電力ヘッドルームを含む、［Ｃ８］に記載の方法。
［Ｃ１０］
前記ＰＨＲ通信が前記第１のコンポーネントキャリアのみのための計算された最大送信電力に基づくことを示す信号を送信すること
をさらに備える、［Ｃ１］に記載の方法。
［Ｃ１１］
ＰＨＲの前記第１のタイプが、各コンポーネントキャリアのための前記計算された最大送信電力に基づく、［Ｃ１］に記載の方法。
［Ｃ１２］
コンポーネントキャリアの前記第１のサブセットの各々が第１の電力増幅器を介して並行して送信され、少なくとも第２のコンポーネントキャリアが第２の電力増幅器を介して前記モバイルデバイスから並行して送信される、［Ｃ１］に記載の方法。
［Ｃ１３］
前記第２のコンポーネントキャリアに関連する第２の最大送信電力を計算することであって、前記計算が、他のアップリンクコンポーネントキャリアとは無関係に前記第２のコンポーネントキャリア上で利用可能な前記電力ヘッドルームを考慮する、計算することと、
前記第２の計算された最大送信電力に基づいてＰＨＲの第２のタイプを生成することと
をさらに備え、前記ＰＨＲ通信を送信することが、ＰＨＲの前記第２のタイプを送信することを備える、［Ｃ１２］に記載の方法。
［Ｃ１４］
コンポーネントキャリアの前記第１のサブセットが、前記第１のコンポーネントキャリアと第３のコンポーネントキャリアとを含み、前記第３のコンポーネントキャリアのための前記最大送信電力が、前記第１のコンポーネントキャリアのための前記計算された最大送信電力に基づいて決定される、［Ｃ１３］に記載の方法。
［Ｃ１５］
ＰＨＲの前記第１のタイプが、前記第１のコンポーネントキャリアのみのための前記計算された最大送信電力に基づき、ＰＨＲの前記第２のタイプが、前記第２の計算された最大送信電力に基づくことを示す信号を送信すること
をさらに備える、［Ｃ１４］に記載の方法。
［Ｃ１６］
ＰＨＲの前記第１のタイプが前記第１のサブセットの各コンポーネントキャリアのための前記計算された最大送信電力に基づき、ＰＨＲの前記第２のタイプが前記第２の計算された最大送信電力に基づく、［Ｃ１３］に記載の方法。
［Ｃ１７］
マルチコンポーネントキャリアワイヤレス通信システムにおいて電力ヘッドルームを報告するための装置であって、
並行して送信されるアップリンクコンポーネントキャリアのセット中の第１のコンポーネントキャリアに関連する最大送信電力を計算することであって、前記計算が、アップリンクコンポーネントキャリアの第１のサブセットの各々のための送信電力を比例的に増加させることによって、前記第１のコンポーネントキャリアを含む前記アップリンクコンポーネントキャリアの少なくとも前記サブセット中の各コンポーネントキャリアの送信電力の増加を考慮する、計算することと、
前記計算された前記最大送信電力に基づいて前記第１のコンポーネントキャリアのために利用可能な電力ヘッドルームを識別することと
を行うように構成された電力ヘッドルーム計算モジュールと、
前記第１のコンポーネントキャリアのために利用可能な前記電力ヘッドルームを備える電力ヘッドルーム報告（ＰＨＲ）の第１のタイプを生成するように構成された電力ヘッドルーム報告モジュールと、
ＰＨＲの前記第１のタイプを含むＰＨＲ通信を送信するように構成された送信機モジュールと
を備える、装置。
［Ｃ１８］
送信電力を比例的に増加させることが、アップリンクコンポーネントキャリアの前記第１のサブセットの各々のための送信電力を、ｄＢ単位で測定される実質的に等しい量だけ増加させることを備える、［Ｃ１７］に記載の装置。
［Ｃ１９］
前記送信機モジュールが２つ以上の電力増幅器を備え、アップリンクコンポーネントキャリアの前記サブセットの各々が、同じ電力増幅器を介して並行して送信されるべきである、［Ｃ１７］に記載の装置。
［Ｃ２０］
前記電力ヘッドルーム計算モジュールが、
前記アップリンクコンポーネントキャリアの第２のサブセットの第２のコンポーネントキャリアに関連する第２の最大送信電力を計算することであって、前記計算が、他の並行して送信されるアップリンクコンポーネントキャリアとは無関係に前記第２のアップリンクコンポーネントキャリア上で利用可能な前記電力ヘッドルームを考慮する、計算することと、
前記第２の最大送信電力を計算することの結果に基づいて前記第２のコンポーネントキャリアのために利用可能な電力ヘッドルームを識別することと
を行うようにさらに構成され、
前記電力ヘッドルーム報告モジュールが、前記第２のコンポーネントキャリアのために利用可能な前記電力ヘッドルームを備える電力ヘッドルーム報告（ＰＨＲ）の第２のタイプを生成するようにさらに構成され、
前記送信機が、ＰＨＲの前記第２のタイプを含む前記ＰＨＲ通信を送信するようにさらに構成された、［Ｃ１７］に記載の装置。
［Ｃ２１］
アップリンクコンポーネントキャリアの前記第１のサブセットの各々が第１の周波数帯域中で送信され、前記第２のアップリンクコンポーネントキャリアが、前記第１の周波数帯域とは異なる第２の周波数帯域中で送信される、［Ｃ２０］に記載の装置。
［Ｃ２２］
各アップリンクコンポーネントキャリアを送信する電力増幅器が、前記アップリンクコンポーネントキャリアの前記周波数帯域に基づいて決定される、［Ｃ２１］に記載の装置。
［Ｃ２３］
コンポーネントキャリアの前記第２のサブセットが単一のアップリンクコンポーネントキャリアを含み、コンポーネントキャリアの前記第１のサブセットが２つのアップリンクコンポーネントキャリアを含む、［Ｃ２０］に記載の装置。
［Ｃ２４］
前記送信機が、前記ＰＨＲ通信が前記第１のコンポーネントキャリアのみのための計算された最大送信電力に基づくことを示す信号を送信するようにさらに構成された、［Ｃ１７］に記載の装置。
［Ｃ２５］
モバイルデバイスからの電力ヘッドルームを報告するためのコンピュータプログラム製品であって、
モバイルデバイスによって並行して送信されるべきアップリンクコンポーネントキャリアのセットを決定するためのコードと、
前記セット中の第１のコンポーネントキャリアに関連する最大送信電力を計算するためのコードであって、前記計算が、アップリンクコンポーネントの第１のサブセットの各々のための送信電力を比例的に増加させることによって、前記第１のコンポーネントキャリアを含む前記アップリンクコンポーネントキャリアの少なくとも前記サブセット中の各コンポーネントキャリアの送信電力の増加を考慮する、計算するためのコードと、
前記最大送信電力を計算することの結果に基づいて前記第１のコンポーネントキャリアのために利用可能な電力ヘッドルームを識別するためのコードと、
前記第１のコンポーネントキャリアのために利用可能な前記電力ヘッドルームを備える電力ヘッドルーム報告（ＰＨＲ）の第１のタイプを生成するためのコードと、
ＰＨＲの前記第１のタイプを含むＰＨＲ通信を送信するためのコードと
を備える、非一時的コンピュータ可読媒体
を備える、コンピュータプログラム製品。
［Ｃ２６］
送信電力を比例的に増加させることが、アップリンクコンポーネントキャリアの前記第１のサブセットの各々のための送信電力を、ｄＢ単位で測定される実質的に等しい量だけ増加させることを備える、［Ｃ２５］に記載のコンピュータプログラム製品。
［Ｃ２７］
前記非一時的コンピュータ可読媒体が、
前記アップリンクコンポーネントキャリアの第２のサブセットの第２のコンポーネントキャリアに関連する第２の最大送信電力を計算するためのコードであって、前記計算が、他の並行して送信されるアップリンクコンポーネントキャリアとは無関係に前記第２のアップリンクコンポーネントキャリア上で利用可能な前記電力ヘッドルームを考慮する、計算するためのコードと、
前記第２の最大送信電力を計算することの結果に基づいて前記第２のコンポーネントキャリアのために利用可能な電力ヘッドルームを識別するためのコードと、
前記第２のコンポーネントキャリアのために利用可能な前記電力ヘッドルームを備える電力ヘッドルーム報告（ＰＨＲ）の第２のタイプを生成するためのコードと、
ＰＨＲの前記第２のタイプを含む前記ＰＨＲ通信を送信するためのコードと
をさらに備える、［Ｃ２５］に記載のコンピュータプログラム製品。
［Ｃ２８］
前記非一時的コンピュータ可読媒体が、
ＰＨＲの前記第１のタイプと前記第２のタイプとのうちのどちらが前記ＰＨＲ通信中に含まれるかを示す信号を送信するためのコード
をさらに備える、［Ｃ２７］に記載のコンピュータプログラム製品。
［Ｃ２９］
アップリンクコンポーネントキャリアの前記第１のサブセットの各々が第１の周波数帯域中で送信され、前記第２のアップリンクコンポーネントキャリアが、前記第１の周波数帯域とは異なる第２の周波数帯域中で送信される、［Ｃ２７］に記載のコンピュータプログラム製品。
［Ｃ３０］
前記非一時的コンピュータ可読媒体が、
前記ＰＨＲ通信が前記第１のコンポーネントキャリアのみのための計算された最大送信電力に基づくことを示す信号を送信するためのコード
をさらに備える、［Ｃ２５］に記載のコンピュータプログラム製品。
［Ｃ３１］
モバイルデバイスによって並行して送信されるべきアップリンクコンポーネントキャリアのセットを決定するための手段と、
前記セット中の第１のコンポーネントキャリアに関連する最大送信電力を計算するための手段であって、前記計算が、アップリンクコンポーネントキャリアの第１のサブセットの各々のための送信電力を比例的に増加させることによって、前記第１のコンポーネントキャリアを含む前記アップリンクコンポーネントキャリアの少なくとも前記サブセット中の各コンポーネントキャリアの送信電力の増加を考慮する、計算するための手段と、
前記最大送信電力を計算することの結果に基づいて前記第１のコンポーネントキャリアのために利用可能な電力ヘッドルームを識別するための手段と、
前記第１のコンポーネントキャリアのために利用可能な前記電力ヘッドルームを備える電力ヘッドルーム報告（ＰＨＲ）の第１のタイプを生成するための手段と、
ＰＨＲの前記第１のタイプを含むＰＨＲ通信を送信するための手段と
を備える、マルチキャリアワイヤレス通信システムにおいて電力ヘッドルームを報告するためのシステム。
［Ｃ３２］
送信電力を比例的に増加させることが、アップリンクコンポーネントキャリアの前記第１のサブセットの各々のための送信電力を、ｄＢ単位で測定される実質的に等しい量だけ増加させることを備える、［Ｃ３１］に記載のシステム。
［Ｃ３３］
前記アップリンクコンポーネントキャリアの第２のサブセットの第２のコンポーネントキャリアに関連する第２の最大送信電力を計算するための手段であって、前記計算が、他の並行して送信されるアップリンクコンポーネントキャリアとは無関係に前記第２のアップリンクコンポーネントキャリア上で利用可能な前記電力ヘッドルームを考慮する、計算するための手段と、
前記第２の最大送信電力を計算することの結果に基づいて前記第２のコンポーネントキャリアのために利用可能な電力ヘッドルームを識別するための手段と、
前記第２のコンポーネントキャリアのために利用可能な前記電力ヘッドルームを備える電力ヘッドルーム報告（ＰＨＲ）の第２のタイプを生成するための手段と、
ＰＨＲの前記第２のタイプを含む前記ＰＨＲ通信を送信するための手段と
をさらに備える、［Ｃ３１］に記載のシステム。
［Ｃ３４］
ＰＨＲの前記第１のタイプと前記第２のタイプとのうちのどちらが前記ＰＨＲ通信中に含まれるかを示す信号を送信するための手段
をさらに備える、［Ｃ３３］に記載のシステム。
［Ｃ３５］
アップリンクコンポーネントキャリアの前記第１のサブセットの各々が第１の周波数帯域中で送信され、前記第２のアップリンクコンポーネントキャリアが、前記第１の周波数帯域とは異なる第２の周波数帯域中で送信される、［Ｃ３３］に記載のシステム。
［Ｃ３６］
各アップリンクコンポーネントキャリアを送信する電力増幅器が、前記アップリンクコンポーネントキャリアの前記周波数帯域に基づいて決定される、［Ｃ３５］に記載のシステム。
［Ｃ３７］
前記ＰＨＲ通信が前記第１のコンポーネントキャリアのみのための計算された最大送信電力に基づくことを示す信号を送信するための手段
をさらに備える、［Ｃ３１］に記載のシステム。
［Ｃ３８］
モバイルデバイスから並行して送信されるべき複数のアップリンクコンポーネントキャリアの各々のために、前記モバイルデバイスにおいて利用可能な電力ヘッドルームを識別することと、
前記アップリンクコンポーネントキャリアのうちの２つ以上を送信するために１つの電力増幅器が使用されるべきであるとき、電力ヘッドルーム報告（ＰＨＲ）の第１のタイプが生成されるべきと決定し、前記アップリンクコンポーネントキャリアのうちの１つを送信するために１つの電力増幅器が使用されるべきであるとき、ＰＨＲの第２のタイプが生成されるべきと決定することと、
ＰＨＲの前記１つまたは複数のタイプに基づいて前記アップリンクコンポーネントキャリアのうちの１つまたは複数のための最大送信電力を計算することと、
前記決定することに基づいてＰＨＲの前記第１のタイプと前記第２のタイプとのうちの１つまたは複数を含むＰＨＲ通信を生成することであって、前記１つまたは複数のＰＨＲが前記計算された最大送信電力に基づく、生成することと、
前記ＰＨＲ通信を送信することと
を備える、マルチキャリアシステムにおけるワイヤレス通信の方法。
［Ｃ３９］
最大送信電力を計算することが、
ＰＨＲの前記第１のタイプが生成されるべきであると決定されたとき、前記２つ以上のアップリンクコンポーネントキャリアのうちの少なくとも１つに関連する最大送信電力を計算することであって、前記計算が、各コンポーネントキャリアのための送信電力を実質的に等しい量だけ比例的に増加させることによって、前記２つ以上のアップリンクコンポーネントキャリアの各々において利用可能な前記電力ヘッドルームを考慮する、計算すること
を備える、［Ｃ３８］に記載の方法。
［Ｃ４０］
最大送信電力を計算することが、
ＰＨＲの前記第２のタイプが生成されるべきであると決定されたとき、前記１つのアップリンクコンポーネントキャリアに関連する最大送信電力を計算することであって、前記計算が、前記アップリンクコンポーネントキャリアのうちの他方の送信電力のいかなる増加とも無関係に前記１つのアップリンクコンポーネントキャリアにおいて利用可能な前記電力ヘッドルームを考慮する、計算すること
を備える、［Ｃ３８］に記載の方法。
［Ｃ４１］
ＰＨＲの前記第１のタイプと前記第２のタイプとのうちのどちらが送信されるかを示す信号を送信すること
をさらに備える、［Ｃ３８］に記載の方法。
［Ｃ４２］
前記２つ以上のアップリンクコンポーネントキャリアの各々が第１の周波数帯域中で送信され、前記１つのアップリンクコンポーネントキャリアが、前記第１の周波数帯域とは異なる第２の周波数帯域中で送信される、［Ｃ３８］に記載の方法。
［Ｃ４３］
各アップリンクコンポーネントキャリアを送信する前記電力増幅器が、前記アップリンクコンポーネントキャリアの前記周波数帯域に基づいて決定される、［Ｃ４２］に記載の方法。
［Ｃ４４］
ＰＨＲの前記第１のタイプが、前記２つ以上のアップリンクコンポーネントキャリアのうちの別の１つのための前記計算された最大送信電力に基づいて前記２つ以上のアップリンクコンポーネントキャリアのうちの１つについての電力ヘッドルーム情報を含む、［Ｃ４２］に記載の方法。
［Ｃ４５］
前記第１の最大送信電力が計算されるとき、ＰＨＲの前記第１のタイプが前記２つ以上のアップリンクコンポーネントキャリアのうちの１つのみのための計算された最大送信電力に基づくことを示す信号を送信すること
をさらに備える、［Ｃ３８］に記載の方法。
［Ｃ４６］
モバイルデバイスからの電力ヘッドルームを報告するためのコンピュータプログラム製品であって、
モバイルデバイスから並行して送信されるべき複数のアップリンクコンポーネントキャリアの各々のために、前記モバイルデバイスにおいて利用可能な電力ヘッドルームを識別するためのコードと、
前記アップリンクコンポーネントキャリアのうちの２つ以上を送信するために１つの電力増幅器が使用されるべきであるとき、電力ヘッドルーム報告（ＰＨＲ）の第１のタイプが生成されるべきと決定し、前記アップリンクコンポーネントキャリアのうちの１つを送信するために１つの電力増幅器が使用されるべきであるとき、ＰＨＲの第２のタイプが生成されるべきと決定するためのコードと、
ＰＨＲの前記１つまたは複数のタイプに基づいて前記アップリンクコンポーネントキャリアのうちの１つまたは複数のための最大送信電力を計算するためのコードと、
前記決定することに基づいて、ＰＨＲの前記第１のタイプと前記第２のタイプとのうちの１つまたは複数を含むＰＨＲ通信を生成するためのコードであって、前記１つまたは複数のＰＨＲが前記計算された最大送信電力に基づく、生成するためのコードと、
前記ＰＨＲ通信を送信するためのコードと
を備える非一時的コンピュータ可読媒体
を備える、コンピュータプログラム製品。
［Ｃ４７］
最大送信電力を計算するための前記コードが、
ＰＨＲの前記第１のタイプが生成されるべきであると決定されたとき、前記２つ以上のアップリンクコンポーネントキャリアのうちの少なくとも１つに関連する最大送信電力を計算するためのコードであって、前記計算が、各コンポーネントキャリアのための送信電力を実質的に等しい量だけ比例的に増加させることによって、前記２つ以上のアップリンクコンポーネントキャリアの各々において利用可能な前記電力ヘッドルームを考慮する、計算するためのコードと
を備える、［Ｃ４６］に記載のコンピュータプログラム製品。
［Ｃ４８］
最大送信電力を計算するための前記コードが、
ＰＨＲの前記第２のタイプが生成されるべきであると決定されたとき、前記１つのアップリンクコンポーネントキャリアに関連する最大送信電力を計算するためのコードであって、前記計算が、前記アップリンクコンポーネントキャリアのうちの他方の送信電力のいかなる増加とも無関係に前記１つのアップリンクコンポーネントキャリアにおいて利用可能な前記電力ヘッドルームを考慮する、計算するためのコードと
を備える、［Ｃ４６］に記載のコンピュータプログラム製品。
［Ｃ４９］
モバイルデバイスから並行して送信されるべき複数のアップリンクコンポーネントキャリアの各々のために、前記モバイルデバイスにおいて利用可能な電力ヘッドルームを識別するための手段と、
前記アップリンクコンポーネントキャリアのうちの２つ以上を送信するために１つの電力増幅器が使用されるべきであるとき、電力ヘッドルーム報告（ＰＨＲ）の第１のタイプが生成されるべきと決定し、前記アップリンクコンポーネントキャリアのうちの１つを送信するために１つの電力増幅器が使用されるべきであるとき、ＰＨＲの第２のタイプが生成されるべきと決定するための手段と、
ＰＨＲの前記１つまたは複数のタイプに基づいて前記アップリンクコンポーネントキャリアのうちの１つまたは複数のための最大送信電力を計算するための手段と、
前記決定することに基づいて、ＰＨＲの前記第１のタイプと前記第２のタイプとのうちの１つまたは複数を含むＰＨＲ通信を生成するための手段であって、前記１つまたは複数のＰＨＲが前記計算された最大送信電力に基づく、生成するための手段と、
前記ＰＨＲ通信を送信するための手段と
を備える、マルチキャリアワイヤレス通信システム。
［Ｃ５０］
最大送信電力を計算するための前記手段が、
ＰＨＲの前記第１のタイプが生成されるべきであると決定されたとき、前記２つ以上のアップリンクコンポーネントキャリアのうちの少なくとも１つに関連する最大送信電力を計算するための手段であって、前記計算が、各コンポーネントキャリアのための送信電力を実質的に等しい量だけ比例的に増加させることによって、前記２つ以上のアップリンクコンポーネントキャリアの各々において利用可能な前記電力ヘッドルームを考慮する、計算するための手段
を備える、［Ｃ４９］に記載のシステム。
［Ｃ５１］
最大送信電力を計算するための前記手段が、
ＰＨＲの前記第２のタイプが生成されるべきであると決定されたとき、前記１つのアップリンクコンポーネントキャリアに関連する最大送信電力を計算するための手段であって、前記計算が、前記アップリンクコンポーネントキャリアのうちの他方の送信電力のいかなる増加とも無関係に前記１つのアップリンクコンポーネントキャリアにおいて利用可能な前記電力ヘッドルームを考慮する、計算するための手段
を備える、［Ｃ４９］に記載のシステム。
［Ｃ５２］
ＰＨＲの前記第１のタイプと前記第２のタイプとのうちのどちらが送信されるかを示す信号を送信するための手段
をさらに備える、［Ｃ４９］に記載のシステム。
［Ｃ５３］
前記２つ以上のアップリンクコンポーネントキャリアの各々が第１の周波数帯域中で送信され、前記１つのアップリンクコンポーネントキャリアが、前記第１の周波数帯域とは異なる第２の周波数帯域中で送信される、［Ｃ４９］に記載のシステム。
［Ｃ５４］
各アップリンクコンポーネントキャリアを送信する前記電力増幅器が、前記アップリンクコンポーネントキャリアの前記周波数帯域に基づいて決定される、［Ｃ４９］に記載のシステム。
［Ｃ５５］
前記第１の最大送信電力が計算されるとき、ＰＨＲの前記第１のタイプ前記２つ以上のアップリンクコンポーネントキャリアのうちの１つのみのための計算された最大送信電力に基づくことを示す信号を送信するための手段
をさらに備える、［Ｃ４９］に記載のシステム。
［Ｃ５６］
電力ヘッドルーム報告（ＰＨＲ）の第１のタイプとＰＨＲの第２のタイプとのうちの１つまたは複数を備えるＰＨＲ通信を受信するように構成された受信機モジュールであって、ＰＨＲの前記第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの前記第２のタイプが、単一の電力増幅器を通して送信される選択された１つのアップリンクコンポーネントキャリアに関連する第２の最大送信電力に基づく第２の電力ヘッドルーム情報を備える、受信機モジュールと、
ＰＨＲの前記第１のタイプと前記第２のタイプとのうちの前記１つまたは複数のうちのどちらが前記ＰＨＲ通信中に含まれるかを決定するように構成され、前記受信したＰＨＲ通信と、前記ＰＨＲ通信中に含まれるＰＨＲの前記１つまたは複数のタイプとに基づいて１つまたは複数の同時送信されるべきアップリンクコンポーネントキャリアのための最大送信電力を決定するように構成された電力ヘッドルーム決定モジュールと
を備える、ワイヤレス通信装置。
［Ｃ５７］
前記電力ヘッドルーム決定モジュールは、前記２つ以上のアップリンクコンポーネントキャリアが同じ周波数帯域中にあるとき、前記ＰＨＲ通信がＰＨＲの前記第１のタイプを含むことを決定するようにさらに構成された、［Ｃ５６］に記載の装置。
［Ｃ５８］
前記電力ヘッドルーム決定モジュールは、前記第１の最大送信電力が前記複数のアップリンクコンポーネントキャリアの各々のための送信電力を比例的に増加させることによって計算されることを考慮することによって、前記２つ以上のアップリンクコンポーネントキャリアのための前記最大送信電力を決定するようにさらに構成された、［Ｃ５７］に記載の装置。
［Ｃ５９］
前記電力ヘッドルーム決定モジュールは、前記選択された１つのアップリンクコンポーネントキャリアが前記複数のアップリンクコンポーネントキャリアのうちの他方の前記周波数帯域とは異なる周波数帯域中にあるとき、前記ＰＨＲ通信がＰＨＲの前記第２のタイプを含むと決定するようにさらに構成された、［Ｃ５６］に記載の装置。
［Ｃ６０］
前記電力ヘッドルーム決定モジュールは、前記第２の最大送信電力が前記アップリンクコンポーネントキャリアのうちの他方の送信電力のいかなる増加とも無関係に計算されることを考慮することによって、前記選択された１つのアップリンクコンポーネントキャリアのための前記最大送信電力を決定するようにさらに構成された、［Ｃ５９］に記載の装置。
［Ｃ６１］
前記第１の電力ヘッドルーム情報が前記２つ以上のアップリンクキャリアのうちの第１のアップリンクキャリアのための最大送信電力に基づき、前記電力ヘッドルーム決定モジュールは、前記２つ以上のアップリンクキャリアのうちの前記第１のアップリンクキャリアの現在の送信電力と前記第１の電力ヘッドルーム情報との間の差に基づいて前記２つ以上のアップリンクコンポーネントキャリアのうちの第２のアップリンクコンポーネントキャリアのための前記最大送信電力を決定するようにさらに構成された、［Ｃ５７］に記載の装置。
［Ｃ６２］
前記受信機モジュールは、複数の並行して送信されたアップリンクコンポーネントキャリアを受信するように構成された、［Ｃ５７］に記載の装置。
［Ｃ６３］
電力ヘッドルーム報告（ＰＨＲ）の第１のタイプとＰＨＲの第２のタイプとのうちの１つまたは複数を備えるＰＨＲ通信を受信することであって、ＰＨＲの前記第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの前記第２のタイプが、単一の電力増幅器を通して送信される選択された１つのアップリンクコンポーネントキャリアに関連する第２の最大送信電力に基づく第２の電力ヘッドルーム情報を備える、受信することと、
ＰＨＲの前記第１のタイプと前記第２のタイプとのうちの前記１つまたは複数のうちのどちらが前記ＰＨＲ通信中に含まれるかを決定することと、
前記受信したＰＨＲ通信と前記ＰＨＲ通信中に含まれるＰＨＲの前記１つまたは複数のタイプとに基づいて１つまたは複数の並行して送信されるべきアップリンクコンポーネントキャリアのための最大送信電力を決定することと
を備える、マルチキャリアワイヤレス通信システムにおけるワイヤレス通信のための方法。
［Ｃ６４］
前記２つ以上のアップリンクコンポーネントキャリアが同じ周波数帯域中にあるとき、前記ＰＨＲ通信がＰＨＲの前記第１のタイプを含むと決定すること
をさらに備える、［Ｃ６３］に記載の方法。
［Ｃ６５］
前記第１の最大送信電力が前記複数のアップリンクコンポーネントキャリアの各々のための送信電力を比例的に増加させることによって計算されることを考慮することによって、前記２つ以上のアップリンクコンポーネントキャリアのための前記最大送信電力を決定すること
をさらに備える、［Ｃ６４］に記載の装置。
［Ｃ６６］
前記選択された１つのアップリンクコンポーネントキャリアが前記複数のアップリンクコンポーネントキャリアのうちの他方の前記周波数帯域とは異なる周波数帯域中にあるとき、前記ＰＨＲ通信がＰＨＲの前記第２のタイプを含むと決定すること
をさらに備える、［Ｃ６３］に記載の方法。
［Ｃ６７］
前記第１の電力ヘッドルーム情報が前記２つ以上のアップリンクキャリアのうちの第１のアップリンクキャリアのための最大送信電力に基づき、前記最大送信電力を決定することが、前記２つ以上のアップリンクキャリアのうちの前記第１のアップリンクキャリアの現在の送信電力と前記第１の電力ヘッドルーム情報との間の差に基づいて前記２つ以上のアップリンクコンポーネントキャリアのうちの第２のアップリンクコンポーネントキャリアのための前記最大送信電力を決定することを備える、［Ｃ６４］に記載の方法。
［Ｃ６８］
電力ヘッドルーム報告（ＰＨＲ）の第１のタイプとＰＨＲの第２のタイプとのうちの１つまたは複数を備えるＰＨＲ通信を受信するための手段であって、ＰＨＲの前記第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの前記第２のタイプが、単一の電力増幅器を通して送信される選択された１つのアップリンクコンポーネントキャリアに関連する第２の最大送信電力に基づく第２の電力ヘッドルーム情報を備える、受信するための手段と、
ＰＨＲの前記第１のタイプと前記第２のタイプとのうちの前記１つまたは複数のうちのどちらが前記ＰＨＲ通信中に含まれるかを決定するための手段と、
前記受信したＰＨＲ通信と、前記ＰＨＲ通信中に含まれるＰＨＲの前記１つまたは複数のタイプとに基づいて１つまたは複数の同時送信されるべきアップリンクコンポーネントキャリアのための最大送信電力を決定するための手段と
を備える、マルチキャリアワイヤレス通信システムにおけるワイヤレス通信のためのシステム。
［Ｃ６９］
最大送信電力を決定するための前記手段が、
前記第１の最大送信電力が前記複数のアップリンクコンポーネントキャリアの各々のための送信電力を比例的に増加させることによって計算されることを考慮することによって、前記２つ以上のアップリンクコンポーネントキャリアのための前記最大送信電力を決定するための手段
を備える、［Ｃ６８］に記載の方法。
［Ｃ７０］
ＰＨＲの前記第１のタイプと前記第２のタイプとのうちの前記１つまたは複数のうちのどちらが前記ＰＨＲ通信中に含まれるかを決定するための前記手段が、
前記選択された１つのアップリンクコンポーネントキャリアが前記複数のアップリンクコンポーネントキャリアのうちの他方の前記周波数帯域とは異なる周波数帯域中にあるとき、前記ＰＨＲ通信がＰＨＲの前記第２のタイプを含むと決定するための手段
を備える、［Ｃ６８］に記載の方法。
［Ｃ７１］
電力ヘッドルーム報告（ＰＨＲ）の第１のタイプとＰＨＲの第２のタイプとのうちの１つまたは複数を備えるＰＨＲ通信を受信するためのコードであって、ＰＨＲの前記第１のタイプが、単一の電力増幅器を通して並行して送信されるべき２つ以上のアップリンクコンポーネントキャリアに関連する第１の最大送信電力に基づく第１の電力ヘッドルーム情報を備え、ＰＨＲの前記第２のタイプが、単一の電力増幅器を通して送信される選択された１つのアップリンクコンポーネントキャリアに関連する第２の最大送信電力に基づく第２の電力ヘッドルーム情報を備える、受信するためのコードと、
ＰＨＲの前記第１のタイプと前記第２のタイプとのうちの前記１つまたは複数のうちのどちらが前記ＰＨＲ通信中に含まれるかを決定するためのコードと、
前記受信したＰＨＲ通信と、前記ＰＨＲ通信中に含まれるＰＨＲの前記１つまたは複数のタイプとに基づいて１つまたは複数の同時送信されるべきアップリンクコンポーネントキャリアのための最大送信電力を決定するためのコードと
を備える、有形コンピュータ可読媒体
を備える、マルチキャリアワイヤレス通信システム中の送信電力を決定するためのコンピュータプログラム製品。
［Ｃ７２］
前記非一時的コンピュータ可読媒体が、
前記２つ以上のアップリンクコンポーネントキャリアが同じ周波数帯域中にあるとき、前記ＰＨＲ通信がＰＨＲの前記第１のタイプを含むと決定し、前記選択された１つのアップリンクコンポーネントキャリアが前記複数のアップリンクコンポーネントキャリアのうちの他方の前記周波数帯域とは異なる周波数帯域中にあるとき、前記ＰＨＲ通信がＰＨＲの前記第２のタイプを含むと決定するためのコード
をさらに備える、［Ｃ７１］に記載のコンピュータプログラム製品。
［Ｃ７３］
前記非一時的コンピュータ可読媒体が、
前記第１の最大送信電力が前記複数のアップリンクコンポーネントキャリアの各々のための送信電力を比例的に増加させることによって計算されることを考慮することによって、前記２つ以上のアップリンクコンポーネントキャリアのための前記最大送信電力を決定するためのコード
をさらに備える、［Ｃ７１］に記載のコンピュータプログラム製品。
【図１】
0005694553.tif 000002
【図２】
0005694553.tif 000003
【図３Ａ】
0005694553.tif 000004
【図３Ｂ】
0005694553.tif 000005
【図４】
0005694553.tif 000006
【図５】
0005694553.tif 000007
【図６】
0005694553.tif 000008
【図７】
0005694553.tif 000009
【図８】
0005694553.tif 000010
【図９】
0005694553.tif 000011
【図１０】
0005694553.tif 000012
【図１１】
0005694553.tif 000013